(57)【要約】      （修正有）【課題】  大当たりにより発生した遊技者側に有利な特別状態の終了時期が、遊技に伴い行われる転落抽選動作により決まる構成の遊技機が出現した場合でも、その管理を適切に行うこと、また、当該遊技機に係る稼動データの表示を適切に行うこと。【解決手段】  パチンコ遊技機１は、スタート入賞口へのパチンコ玉の入賞に応じて大当たり抽選動作を実行し、抽選結果が当たりの場合に大当たりを発生し、大当たり終了後に確変及び時短の双方を同時に発生し、確変転落抽選に当選したときに確変を終了し、特別図柄表示部での図柄変動演出動作が規定回数実行されたときに時短を終了する。管理装置１３は、確変が一旦発生したときに、その後に確変転落抽選に当選するまでの期間における大当たり抽選動作の実行回数を、確変継続スタート数として出力する。呼出ランプユニット１１は、上記確変継続スタート数を管理装置１３と同様手法で算出して表示する。【選択図】  図１
2006158775.tif 000002
【特許請求の範囲】
【請求項１】
所定条件の成立に応じて、遊技客側に有利な特別状態を発生し、遊技に伴い行われる転落抽選動作に当選したときに前記特別状態が終了する遊技機を管理対象とした遊技機管理装置であって、
前記遊技機で特別状態が発生している期間及び前記転落抽選動作の結果を識別する識別手段と、
前記遊技機において前記特別状態が一旦発生したときに、その後に前記転落抽選動作に当選するまでの期間における前記転落抽選動作の実行回数を、前記識別手段の識別結果を利用して累算し、その累算結果を出力するデータ集計手段と、
を備えたことを特徴とする遊技機管理装置。
【請求項２】
スタート入賞口へのパチンコ玉の入賞に応じて所定の当たり確率の大当たり抽選動作を実行すると共に、その抽選結果が当たりの場合に大当たり状態が発生するように構成され、所定条件の成立に応じて、遊技者側に有利な特別状態を発生し、遊技に伴い行われる転落抽選動作に当選したとき、または前記大当たりが発生したときに前記特別状態が終了する遊技機を管理対象とした遊技機管理装置であって、
前記遊技機で特別状態が発生している期間及び前記転落抽選動作の結果を識別する識別手段と、
前記遊技機において前記特別状態が一旦発生したときに、その後に前記転落抽選動作に当選するまでの期間における前記大当たり抽選動作の実行回数を、前記識別手段の識別結果を利用して累算し、その累算結果を出力するデータ集計手段と、
を備えたことを特徴とする遊技機管理装置。
【請求項３】
前記データ集計手段は、前記遊技機での大当たりの発生時点から前記転落抽選動作に当選するまでの期間における大当たりの合計発生回数を集計した結果を、継続期間合計大当たり回数として出力することを特徴とする請求項１または２記載の遊技機管理装置。
【請求項４】
前記データ集計手段は、前記遊技機で前記特別状態が発生した各期間における前記大当たり抽選動作の実行回数を前記識別手段の識別結果を利用して集計した結果を、前記特別状態継続スタート数と区別した形態の期間毎スタート数として出力することを特徴とする請求項１ないし３の何れかに記載の遊技機管理装置。
【請求項５】
前記データ集計手段は、前記期間毎スタート数を出力する際に、当該期間毎スタート数に対応した前記特別状態発生期間での前記大当たりの発生の有無を示す大当たり情報を出力することを特徴とする請求項４記載の遊技機管理装置。
【請求項６】
所定条件の成立に応じて、遊技客側に有利な特別状態を発生し、遊技に伴い行われる転落抽選動作に当選したときに前記特別状態が終了する遊技機についての稼動データを表示するための遊技情報表示装置において、
前記遊技機における前記転落抽選動作の実行回数を示すデータを取得し、当該遊技機において前記特別状態が一旦発生した後に前記転落抽選動作に当選するまでの期間における前記転落抽選動作の実行回数を表示する制御を行う表示制御手段を備えたことを特徴とする遊技情報表示装置。
【請求項７】
スタート入賞口へのパチンコ玉の入賞に応じて所定の当たり確率の大当たり抽選動作を実行すると共に、その抽選結果が当たりの場合に大当たり状態が発生するように構成され、所定条件の成立に応じて、遊技者側に有利な特別状態を発生し、遊技に伴い行われる転落抽選動作に当選したとき、または前記大当たりが発生したときに前記特別状態が終了する遊技機についての稼動データを表示するための遊技情報表示装置において、
前記遊技機での前記大当たり抽選動作の実行回数を示すデータをスタート数として取得し、当該遊技機において前記特別状態が一旦発生した後に前記転落抽選動作に当選するまでの期間におけるスタート数を特別状態継続スタート数として表示する制御を行う表示制御手段を備えたことを特徴とする遊技情報表示装置。
【請求項８】
前記表示制御手段は、前記遊技機での大当たりの発生時点から前記転落抽選動作に当選するまでの期間における大当たりの合計発生回数を継続期間合計大当たり回数として表示する制御を行うことを特徴とする請求項６または７記載の遊技情報表示装置。
【請求項９】
前記表示制御手段は、前記遊技機で前記特別状態が発生した各期間における前記大当たり抽選動作の実行回数を、前記特別状態継続スタート数と区別した形態の期間毎スタート数として表示する制御を行うことを特徴とする請求項６ないし８の何れかに記載の遊技情報表示装置。
【請求項１０】
前記表示制御手段は、前記期間毎スタート数を表示する際に、その期間毎スタート数に対応した前記特別状態発生期間での前記大当たりの発生の有無を示す大当たり情報を当該期間毎スタート数と関連付けた状態で表示する制御を行うことを特徴とする請求項９記載の遊技情報表示装置。
【発明の詳細な説明】
【技術分野】
【０００１】
本発明は、遊技機に係る稼動データを管理するための遊技機管理装置、及び当該稼動データを遊技者の便宜に供するために表示する機能を備えた遊技情報表示装置に関する。
【背景技術】
【０００２】
例えば、第１種パチンコ遊技機（所謂セブン機）にあっては、スタート入賞口へのパチンコ玉の入賞を契機に行われる大当たり抽選動作に当選したときに、当たり図柄表示部での所定時間の演出表示を伴う大当たりが発生し、大当たりが終了した後の所定時期、例えば大当たり終了と同時に、大当たりの発生確率を通常時より高めた確率変動状態（所謂確変）が所定の割合で発生すると共に、その確変発生後において大当たりが発生したときに当該確変を終了する構成となっている。従来では、このようなパチンコ遊技機についてのスタート数（大当たり抽選動作の実行回数）を含む稼動データを管理するための手段として、例えば特許文献１に見られるような遊技機管理装置が提供されている。この遊技機管理装置は、確変期間での大当たり状態の発生割合を算出することを目的としたものであるが、そのようなデータの算出の他に、通常時の大当たり間スタート数と確変時の大当たり間スタート数の平均値を算出することが行われている。
【特許文献１】特許第３３４２４５８号公報
【発明の開示】
【発明が解決しようとする課題】
【０００３】
今般行われた遊技機規則の改正に伴って、スタート入賞口へのパチンコ玉の入賞毎に転落抽選動作を行い、この転落抽選動作に当選したときにも確変を終了するという新規な遊技性を備えたパチンコ遊技機が出現すると考えられている。また、大当たり終了後の所定時期、例えば大当たり終了と同時に、所謂時短（当たり図柄表示部の図柄変動演出時間を短縮させると同時に、大当たりの発生契機となるスタート入賞口への入賞率を通常時より高めた変動時間短縮状態）が発生すると共に、上記のような転落抽選動作に当選したときに時短を終了するという遊技性を備えたパチンコ遊技機が出現することも想定されている。
【０００４】
上記のような新規仕様のパチンコ遊技機を管理する場合には、その遊技機の傾向（遊技特性）を把握するために、特別状態（確変或いは時短）が発生した時点から転落抽選動作に当選するまでの期間におけるスタート数（大当たり抽選動作の実行回数：以下継続スタート数と呼ぶ）や転落抽選動作の実行回数（但し、大当たり終了と同時に確変が発生する機種では継続スタート数と等しくなる）が非常に重要なデータとなる。しかしながら、現在時点では、このような継続スタート数や転落抽選動作の実行回数に対する関心が低く、また、特許文献１に見られるような従来の遊技機管理装置では、確変期間での大当たり状態の発生割合を算出するために、通常時及び確変時の各大当たり間スタート数を管理しているだけであるため、前記新規仕様のパチンコ遊技機が出現した場合に継続スタート数や転落抽選動作の実行回数に係るデータを算出することができず、従ってパチンコ遊技機を適切に管理することが難しくなるという問題点があった。
【０００５】
また、新規仕様のパチンコ遊技機に係る上記のような継続スタート数や転落抽選動作の実行回数に係るデータについても、他の稼動データと共に遊技者に向けて表示する遊技情報表示装置を設けることが、遊技に対する興趣を向上させる上で望ましいものであるが、このようなデータの管理が遊技機管理装置側で不可能である以上、そのような要望を遊技情報表示装置側で満たすことも困難になるという問題点があった。
【０００６】
本発明は上記事情に鑑みてなされたものであり、第１の目的は、大当たり抽選動作の結果に応じて大当たりが発生すると共に、その大当たり後に発生した遊技者側に有利な特別状態の終了時期が遊技に伴い行われる転落抽選動作により決まる構成の遊技機が管理対象であった場合でも、その管理を適切に行い得るようになる遊技機管理装置を提供することにあり、また、第２の目的は、上記構成の遊技機が出現した場合でも当該遊技機に係る稼動データの表示を適切に行い得るようになる遊技情報表示装置を提供することにある。
【課題を解決するための手段】
【０００７】
請求項１記載の発明は、前記第１の目的を達成するために、所定条件の成立に応じて、遊技客側に有利な特別状態を発生し、遊技に伴い行われる転落抽選動作に当選したときに前記特別状態が終了する遊技機を管理対象とした遊技機管理装置であって、
前記遊技機で特別状態が発生している期間及び前記転落抽選動作の結果を識別する識別手段と、前記遊技機において前記特別状態が一旦発生したときに、その後に前記転落抽選動作に当選するまでの期間における前記転落抽選動作の実行回数を、前記識別手段の識別結果を利用して累算し、その累算結果を出力するデータ集計手段とを備えた構成としたものである。
【０００８】
請求項２記載の発明は、前記第１の目的を達成するために、スタート入賞口へのパチンコ玉の入賞に応じて所定の当たり確率の大当たり抽選動作を実行すると共に、その抽選結果が当たりの場合に大当たり状態が発生するように構成され、所定条件の成立に応じて、遊技者側に有利な特別状態を発生し、遊技に伴い行われる転落抽選動作に当選したとき、または前記大当たりが発生したときに前記特別状態が終了する遊技機を管理対象とした遊技機管理装置において、
前記遊技機で特別状態が発生している期間及び前記転落抽選動作の結果を識別する識別手段と、前記遊技機において前記特別状態が一旦発生したときに、その後に前記転落抽選動作に当選するまでの期間における前記大当たり抽選動作の実行回数を、前記識別手段の識別結果を利用して累算し、その累算結果を特別状態継続スタート数として出力するデータ集計手段とを備えた構成としたものである。
【０００９】
この場合、請求項３記載の発明のように、前記データ集計手段は、前記遊技機での大当たりの発生時点から前記転落抽選動作に当選するまでの期間における大当たりの合計発生回数を集計した結果を、継続期間合計大当たり回数として出力する構成であっても良い。
【００１０】
また、請求項４記載の発明のように、前記データ集計手段は、前記遊技機で前記特別状態が発生した各期間における前記大当たり抽選動作の実行回数を前記識別手段の識別結果を利用して集計した結果を、前記特別状態継続スタート数と区別した形態の期間毎スタート数として出力する構成であっても良い。
【００１１】
請求項５記載の発明のように、前記データ集計手段は、前記期間毎スタート数を出力する際に、当該期間毎スタート数に対応した前記特別状態発生期間での前記大当たりの発生の有無を示す大当たり情報を出力する構成とすることができる。
【００１２】
請求項６記載の発明は、前記第２の目的を達成するために、所定条件の成立に応じて、遊技客側に有利な特別状態を発生し、遊技に伴い行われる転落抽選動作に当選したときに前記特別状態が終了する遊技機についての稼動データを表示するための遊技機表示装置において、
前記遊技機における前記転落抽選動作の実行回数を示すデータを取得し、当該遊技機において前記特別状態が一旦発生した後に前記転落抽選動作に当選するまでの期間における前記転落抽選動作の実行回数を表示する制御を行う表示制御手段を備えた構成としたものである。
【００１３】
請求項７記載の発明は、前記第２の目的を達成するために、スタート入賞口へのパチンコ玉の入賞に応じて所定の当たり確率の大当たり抽選動作を実行すると共に、その抽選結果が当たりの場合に大当たり状態が発生するように構成され、所定条件の成立に応じて、遊技者側に有利な特別状態を発生し、遊技に伴い行われる転落抽選動作に当選したとき、または前記大当たりが発生したときに前記特別状態が終了する遊技機についての稼動データを表示するための遊技情報表示装置において、
前記遊技機での前記大当たり抽選動作の実行回数を示すデータをスタート数として取得し、当該遊技機において前記特別状態が一旦発生した後に前記転落抽選動作に当選するまでの期間におけるスタート数を特別状態継続スタート数として表示する制御を行う表示制御手段を備えた構成としたものである。
【００１４】
この場合、請求項８記載の発明のように、前記表示制御手段は、前記遊技機での大当たりの発生時点から前記転落抽選動作に当選するまでの期間における大当たりの合計発生回数を継続期間合計大当たり回数として表示する制御を行う構成であっても良い。
【００１５】
また、請求項９記載の発明のように、前記表示制御手段は、前記遊技機で前記特別状態が発生した各期間における前記大当たり抽選動作の実行回数を、前記特別状態継続スタート数と区別した形態の期間毎スタート数として表示する制御を行う構成であっても良い。
【００１６】
請求項１０記載の発明のように、前記表示制御手段を、前記期間毎スタート数を表示する際に、その期間毎スタート数に対応した前記特別状態発生期間での前記大当たりの発生の有無を示す大当たり情報を当該期間毎スタート数と関連付けた状態で表示する制御を行う構成とすることができる。
【発明の効果】
【００１７】
請求項１記載の発明によれば、遊技機においては、所定条件の成立に応じて遊技者側に有利な特別状態が発生し、その後の遊技に伴い行われる転落抽選動作に当選したときに特別状態が終了する。つまり、特別状態の終了時期は、転落抽選動作の結果に依存して変化することになる。
この場合、識別手段においては、遊技機で特別状態が発生している期間及び転落抽選動作の結果を識別するようになり、データ集計手段においては、遊技機において特別状態が一旦発生したときに、その後に転落抽選動作に当選するまでの期間における転落抽選動作の実行回数を、前記識別手段の識別結果を利用して累算し、その累算結果を出力するようになる。要するに、特別状態が一旦発生した時点から転落抽選動作に当選するまでの期間（特別状態が実質的に継続している期間）における転落抽選動作の実行回数を示すデータ、つまり遊技機の傾向（遊技特性）を把握する上で重要なデータを出力できるようになる。この結果、大当たり抽選動作の結果に応じて大当たりが発生すると共に、その大当たり後に発生した遊技者側に有利な特別状態の終了時期が遊技に伴い行われる転落抽選動作により決まる構成の遊技機が管理対象であった場合でも、その管理を適切に行い得ることになる。
【００１８】
請求項２記載の発明によれば、遊技機においては、スタート入賞口へのパチンコ玉の入賞に応じて所定の当たり確率の大当たり抽選動作を実行すると共に、当該抽選結果が当たりの場合に大当たり状態が発生するようになる。このようにして大当たり状態が発生したときには、所定条件の成立に応じて遊技者側に有利な特別状態が発生し、その後の遊技に伴い行われる転落抽選動作に当選したとき、または大当たり状態が再発生したときに特別状態が終了する。つまり、特別状態の終了時期は、転落抽選動作の結果に依存して変化することになる。
【００１９】
この場合、識別手段においては、遊技機で特別状態が発生している期間及び転落抽選動作の結果を識別するようになり、データ集計手段においては、遊技機において特別状態が一旦発生したときに、その後に転落抽選動作に当選するまでの期間（特別状態が大当たりの再発生によらずに終了するまでの期間）における大当たり抽選動作の実行回数を、前記識別手段の識別結果を利用して累算し、その累算結果を特別状態継続スタート数として出力するようになる。要するに、特別状態が一旦発生した時点から転落抽選動作に当選するまでの期間（特別状態が実質的に継続している期間）におけるスタート数を示すデータ、つまり遊技機の傾向（遊技特性）を把握する上で重要なデータである特別状態継続スタート数を出力できるようになる。この結果、大当たり抽選動作の結果に応じて大当たりが発生すると共に、その大当たり後に発生した遊技者側に有利な特別状態の終了時期が遊技に伴い行われる転落抽選動作により決まる構成の遊技機が管理対象であった場合でも、その管理を適切に行い得ることになる。
【００２０】
請求項３記載の発明によれば、データ集計手段からは、遊技機での大当たりの発生時点から転落抽選動作に当選するまでの期間における大当たりの合計発生回数が継続期間合計大当たり回数として出力されることになる。この結果、特別状態発生後に転落抽選動作に当選するまでの期間のスタート数（特別状態継続スタート数）とその期間に対応した大当たり発生回数との関係を的確に把握可能になるなど、遊技機の管理を適切に行う上で有益になる。
【００２１】
請求項４記載の発明によれば、データ集計手段からは、遊技機で特別状態が発生した各期間における大当たり抽選動作の実行回数、つまり、一旦発生した特別状態が大当たりの発生或いは転落抽選動作に応じて終了するまでの各期間についてのスタート数を示す期間毎スタート数が、特別状態継続スタート数と区別した状態で出力されることになる。この結果、各回の特別状態発生期間でのスタート数と、当該特別状態が実質的に継続している期間でのスタート数との割合を的確に把握可能になるなど、遊技機の管理を行う上で有益になる。
【００２２】
請求項５記載の発明によれば、データ集計手段からは、前記期間毎スタート数と共に、当該期間毎スタート数に対応した各回の特別状態発生期間での大当たりの発生の有無を示す大当たり情報が出力されるから、各回の特別状態発生期間に大当たりが発生したか否かという情報を的確に把握可能になるなど、遊技機の管理を行う上で有益になる。
【００２３】
請求項６記載の発明によれば、遊技機においては、所定条件の成立に応じて遊技者側に有利な特別状態が発生し、その後の遊技に伴い行われる転落抽選動作に当選したとき、または大当たり状態が再発生したときに特別状態が終了する。つまり、特別状態の終了時期は、転落抽選動作の結果に依存して変化することになる。
この場合、表示制御手段は、遊技機での転落抽選動作の実行回数を示すデータを取得し、当該遊技機において特別状態が一旦発生した後に転落抽選動作に当選するまでの期間における転落抽選動作の実行回数を表示する制御を行うようになる。従って、大当たり抽選動作の結果に応じて大当たりが発生すると共に、その大当たり後に発生した遊技者側に有利な特別状態の終了時期が遊技に伴い行われる転落抽選動作により決まる構成の遊技機が出現した場合でも、特別状態が一旦発生した時点から転落抽選動作に当選するまでの期間（特別状態が実質的に継続している期間）における転落抽選動作の実行回数を示すデータ、つまり遊技機の傾向（遊技特性）を把握する上で重要なデータの表示を適切に行い得るようになり、遊技に対する興趣の向上などを図る上で有益になる。
【００２４】
請求項７記載の発明によれば、遊技機においては、スタート入賞口へのパチンコ玉の入賞に応じて所定の当たり確率の大当たり抽選動作を実行すると共に、当該抽選結果が当たりの場合に大当たり状態が発生するようになる。このようにして大当たり状態が発生したときには、所定条件の成立に応じて遊技者側に有利な特別状態が発生し、その後の遊技に伴い行われる転落抽選動作に当選したとき、または大当たり状態が再発生したときに特別状態が終了する。つまり、特別状態の終了時期は、転落抽選動作の結果に依存して変化することになる。
【００２５】
この場合、表示制御手段は、遊技機での大当たり抽選動作の実行回数を示すデータをスタート数として取得し、当該遊技機において特別状態が一旦発生した後に転落抽選動作に当選するまでの期間（特別状態が大当たりの再発生とは無関係に終了するまでの期間）における大当たり抽選動作の実行回数を、特別状態期間中スタート数として表示する制御を行うようになる。従って、大当たり抽選動作の結果に応じて大当たりが発生すると共に、その大当たり後に発生した遊技者側に有利な特別状態の終了時期が遊技に伴い行われる転落抽選動作により決まる構成の遊技機が出現した場合でも、特別状態が一旦発生した時点から転落抽選動作に当選するまでの期間（特別状態が実質的に継続している期間）におけるスタート数を示すデータ、つまり遊技機の傾向（遊技特性）を把握する上で重要なデータである特別状態継続スタート数の表示を適切に行い得るようになり、遊技に対する興趣の向上などを図る上で有益になる。
【００２６】
請求項８記載の発明によれば、遊技機での大当たりの発生時点から転落抽選動作に当選するまでの期間における大当たりの合計発生回数が継続期間合計大当たり回数として表示されることになる。この結果、遊技者側において、遊技機の遊技特性、特には、特別状態発生後に転落抽選動作に当選するまでの期間のスタート数（特別状態継続スタート数）とその期間に対応した大当たり発生回数との関係を示す特性を的確に把握する上で有益になる。
【００２７】
請求項９記載の発明によれば、遊技機で特別状態が発生した各期間における大当たり抽選動作の実行回数、つまり、一旦発生した特別状態が大当たりの発生或いは転落抽選動作に応じて終了するまでの各期間についてのスタート数を示す期間毎スタート数が、特別状態継続スタート数と区別した状態で表示されることになる。この結果、遊技者側において、遊技機の遊技特性、特には、各回の特別状態発生期間でのスタート数と、当該特別状態が実質的に継続している期間でのスタート数との割合を示す特性を的確に把握する上で有益になる。
【００２８】
請求項１０記載の発明によれば、期間毎スタート数に対応した各回の特別状態発生期間での大当たりの発生の有無を示す大当たり情報が、当該期間毎スタート数と関連付けて表示されるから、遊技者側において、各回の特別状態発生期間に大当たりが発生したか否かという情報を的確に把握する上で有益になる。
【発明を実施するための最良の形態】
【００２９】
（第１の実施の形態）
以下、本発明の第１実施例について図１〜図２２を参照しながら説明する。
図２には、本実施例にて管理対象及び遊技情報の表示対象となるパチンコ遊技機の正面外観が概略的に示されている。この図２において、パチンコ遊技機１は、その上皿２内のパチンコ玉を電動式の発射装置（操作ダイヤルのみ符号３を付して示す）により盤面４へ発射する構成となっている。盤面４には、アウト口５、電動チューリップ６ａを備えたスタート入賞口６、賞球の払出しがないスルー入賞口７、アタッカーと呼ばれる電動役物８ａを備えた大入賞口８、図柄表示装置９が設けられていると共に、通常入賞口（図示せず）も設けられている。
【００３０】
上記図柄表示装置９は、例えばバックライト付きのカラー液晶表示パネルにより構成されたもので、図３に概略的に示すように、特別図柄表示部９ａ、保留玉数表示部９ｂ、普通図柄表示部９ｃを備えている。
【００３１】
上記のように構成されたパチンコ遊技機１の基本動作は以下の通りである。
（１）スタート入賞口６へのパチンコ玉の入賞に応じて所定の当たり確率（例えば、通常状態時において１／３００、後述する確変状態時において１／５０）の大当たり抽選動作を実行すると共に、当該パチンコ玉の入賞数を、大当たり抽選動作の抽選結果（「大当たり」または「ハズレ」）が付随した状態の保留玉データとして一時的に記憶する。
【００３２】
（２）上記記憶動作は、例えばＦＩＦＯ形式（先入れ先出し形式）で行われるものであり、記憶された保留玉データは、付随した抽選結果の表示動作が特別図柄表示部９ａにおいて実行される毎に消化される。この抽選結果の表示動作は、パチンコ遊技機１において大当たりが発生していない期間、並びに特別図柄表示部９ａが動作停止している期間には直ちに実行され、また、当該大当たりが発生している期間や特別図柄表示部９ａが動作中の期間には、その大当たりの終了或いは特別図柄表示部９ａの動作停止を待って実行される。この場合、特別図柄表示部９ａは、図柄表示装置９の中央に表示される例えば３桁の数字列より成るルーレットにより構成されたもので（図３参照）、抽選結果の表示動作時には、当該ルーレットの図柄変動演出動作（本実施例の場合、数字列の各桁の「０」〜「９」の範囲での変動表示）を所定期間だけ行うと共に、抽選結果が「大当たり」であったときにはその図柄変動演出動作の終了時点で数字列が「１１１」、「２２２」、…のようなぞろ目図柄（大当たり図柄）となるように制御され、抽選結果が「ハズレ」であったときには、ぞろ目図柄以外のハズレ図柄をランダムに表示するように制御される。
【００３３】
（３）特別図柄表示部９ａにぞろ目図柄が表示されたときには、大入賞口８の電動役物８ａ（アタッカー）を予め決められたモードにて所定期間（複数ラウンド）だけ開放する制御を行い、以て当該大入賞口８への入賞率を極端に高めた大当たりを発生させる。
【００３４】
（４）保留玉データの最大記憶数、つまり未消化の保留玉数の上限値は、例えば４個分に限定される構成となっており、その保留玉数は、保留玉数表示部９ｂにおいて周知の形態で表示される。
【００３５】
（５）スルー入賞口７へのパチンコ玉の入賞に応じて所定の当たり確率（例えば１／１０）の補助抽選動作を実行し、その補助抽選動作の結果を普通図柄表示部９ｃで表示する。尚、普通図柄表示部９ｃは、図柄表示装置９の右下部に表示される例えば２桁の数字列より成るルーレットにより構成されたもので、抽選結果の表示動作時には、当該ルーレットの図柄変動演出動作（本実施例の場合、数字列の各桁の「０」〜「９」の範囲での変動表示）を所定期間だけ行うと共に、補助抽選動作の結果が当たりであったときにはその図柄変動演出動作の終了時点で数字列が「１１」、「２２」、…のようなぞろ目図柄（当たり図柄）となるように制御される。
【００３６】
（６）普通図柄表示部９ｃにぞろ目図柄が表示された状態では、電動チューリップ６ａを所定時間（例えば、通常状態時において０．５秒、後述する時短状態時において５秒）だけ開放させる制御を行う。
【００３７】
（７）前記大当たりが終了したときには本発明でいう所定条件が成立するものであり、その後の所定時期、例えば大当たり終了と同時に、大当たり抽選動作の当たり確率を、通常状態時の１／３００から１／５０に高めた確率変動状態（以下、確変と呼ぶ：特別状態に相当）と、普通図柄表示部９ｃによる表示動作の所要時間を、通常状態時の３０秒から５秒に短縮した変動時間短縮状態（以下、時短と呼ぶ）とを同時に発生させる。尚、この時短状態では、前述したように、電動チューリップ６ａの開放時間を通常状態時の０．５秒から５秒に延長する制御も行われる。
【００３８】
（８）確変が発生した期間には、スタート入賞口６へパチンコ玉が入賞する毎に所定の当たり確率（例えば、１／１００）の確変転落抽選動作を実行し、この抽選に当選したときに確変を終了し、また、大当たりが再発生したときにも確変を終了する。尚、上記確変転落抽選動作に当選したこと、つまり確変が終了したことは、図柄表示装置９などに表示されない構成となっており、従って遊技者では確変が終了したことを直接的に判別できない。
【００３９】
（９）時短が発生した期間には、特別図柄表示部９ａでの図柄変動演出動作の実行回数、つまり、大当たり抽選動作の実行回数（以下、これをスタート数と呼ぶ）が大当たり終了後に予め設定された規定回数（例えば５０回）に達したときに時短を終了し、また大当たりが再発生したときにも時短を終了する。尚、後述するように、本実施例においては、時短の発生状態を報知する機能が設定されているが、このような報知が行われない場合であっても、時短の終了に伴い普通図柄表示部９ｃによる表示動作の所要時間及び電動チューリップ６ａの開放時間が通常状態に戻されることになるから、遊技者では、上記のような各時間の変化に基づいて時短が終了したことを間接的に判別できる。
【００４０】
以上のような基本動作が設定されたパチンコ遊技機１においては、大当たりが一旦発生したときには、その大当たりの終了後において確変と時短が同時に発生することになる。この場合、時短は一定期間が経過したとき（大当たり後のスタート数が５０回に達したとき）に必ず終了するが、確変の終了時期は確変転落抽選動作の結果に依存して決まるため、それら確変及び時短の各継続期間が一致しなくなる。
【００４１】
つまり、パチンコ遊技機１においては、大当たりが終了した後には、
（Ａ）確変及び時短が同時に発生した確変／時短遊技状態を呈した期間（以下、必要に応じて重複期間と呼ぶ）、
が出現し、この遊技状態にある期間中に大当たりが再発生しなかった場合には、
（Ｂ）確変のみが発生した確変単独遊技状態を呈した期間（以下、必要に応じて第１期間と呼ぶ）、
（Ｃ）時短のみが発生した時短単独遊技状態を呈した期間（以下、必要に応じて第２期間と呼ぶ）、
の何れかが出現し、これら各期間中に大当たりが再発生しなかった場合には、
（Ｄ）確変及び時短が双方ともに発生していない通常遊技状態（所謂ベース状態）を呈した期間（以下、必要に応じて通常期間と呼ぶ）、
が出現することになる。但し、確率的には非常に低いが、確変及び時短がほとんど同じ時期に終了する可能性があり、このような場合には確変／時短遊技状態（Ａ）の後に、確変単独遊技状態（Ｂ）或いは時短単独遊技状態（Ｃ）が実質的に出現せず、通常遊技状態（Ｄ）がいきなり出現することになる。
【００４２】
また、図示しないが、パチンコ遊技機１には、発生したアウト玉数を示すアウト信号、発生したセーフ玉数を示すセーフ信号、特別図柄表示部９ａが動作開始されたことを示すスタート信号、大当たりが発生したことを示す大当たり信号、確変が発生したことを示す確変信号などを出力するための信号発生基板が設けられており、この信号発生基板は、大当たり期間に大当たり信号を継続的に出力し、確変期間（確変／時短遊技状態（Ａ）、確変単独遊技状態（Ｂ）にある各期間）に確変信号を継続的に出力する構成となっている。尚、この信号発生基板は、時短期間において前記確変信号に相当した信号を出力しない構成になっている。
【００４３】
図６のタイミングチャートには、上記（Ａ）〜（Ｄ）の各期間の出現例が示されている。即ち、この図６には、大当たり、確変、時短の発生タイミングがそれぞれ示されており、通常遊技状態（Ｄ）中のタイミングｔ１において発生した１回目の大当たりが終了したとき（タイミングｔ２）には、確変／時短遊技状態（Ａ）が出現する。この後に大当たりが再発生する前のタイミングｔ３において、スタート数が規定回数（５０回）に到達したときには、時短が終了されて確変単独遊技状態（Ｂ）が出現する。
【００４４】
この確変単独遊技状態（Ｂ）中のタイミングｔ４において２回目の大当たりが発生したときには、当該確変単独遊技状態（Ｂ）が終了され、その大当たりが終了したとき（タイミングｔ５）に確変／時短遊技状態（Ａ）が出現する。この後に大当たりが再発生する前のタイミングｔ６において、確変転落抽選動作に当選したときには、確変が終了されて時短単独遊技状態（Ｃ）が出現する。
【００４５】
この時短単独遊技状態（Ｃ）中のタイミングｔ７において３回目の大当たりが発生したときには、当該時短単独遊技状態（Ｃ）が終了され、その大当たりが終了したとき（タイミングｔ８）に確変／時短遊技状態（Ａ）が出現する。この後に大当たりが再発生する前のタイミングｔ９において、確変転落抽選動作に当選したときには、確変が終了されて時短単独遊技状態（Ｃ）が出現する。さらに、大当たりが再発生する前のタイミングｔ１０において、スタート数が規定回数（５０回）に到達したときには、時短が終了されて通常遊技状態（Ｄ）が出現する。
【００４６】
図１には、遊技場用システムの概略的構成が示されている。この図１において、遊技場内に多数台ずつ設置されたパチンコ遊技機１及び台間玉貸機１０は、互いの間で信号の授受を行い得るように構成されている。パチンコ遊技機１の上方には、データ送受信の中継機能を備えた呼出ランプユニット１１（遊技情報表示装置に相当）が設けられており、当該パチンコ遊技機１は、呼出ランプユニット１１及びＬＡＮ１２を介して管理装置１３（識別手段、データ集計手段に相当）に接続され、台間玉貸機１０は呼出ランプユニット１１を介して管理装置１３に接続されている。尚、パチンコ遊技機１から出力される前記アウト信号、セーフ信号、スタート信号、大当たり信号、確変信号などは、呼出ランプユニット１１及びＬＡＮ１２を介して管理装置１３に与えられる構成となっている。また、ＬＡＮ１２には、遊技者向けの種々のデータを表示するための周知構成の情報公開端末１４が接続されている。
【００４７】
台間玉貸機１０は、プリペイドカード挿入口１０ａに図示しないプリペイドカードが挿入された状態で当該プリペイドカードに記憶された残高金額データの範囲内でパチンコ玉を放出（貸出）するＣＲ機（カードリーダ機）としての機能を備えたものである。この場合、各台間玉貸機１０から管理装置１３には、プリペイドカードによる売上を示す売上信号などが出力される。
【００４８】
呼出ランプユニット１１は、図４に示すように、３段に配置された表示ランプ１１ａ、１１ｂ、１１ｃ、例えばバックライト付きの液晶パネルより成るビットマップディスプレイ型の表示部１１ｄ、この表示部１１ｄによる表示内容を切換えるときに操作するデータ切換ボタン１１ｅ、従業員を呼ぶときに操作する呼出ボタン１１ｆ、表示部１１ｄによる表示内容を初期状態に戻すときに操作される「戻る」ボタン１１ｇ、前日、前々日に係るデータを表示するときに操作される履歴ボタン１１ｈ、表示データの切換やスクロールのために使用される右ボタン１１ｉ及び左ボタン１１ｊ、リモコン受信部１１ｋなどを備えた構成となっている。尚、表示部１１ｄは、蛍光表示管などにより構成されたキャラクタディスプレイ型のものであっても良い。このような構成とされた呼出ランプユニット１１は、呼出ボタン１１ｆの操作に伴う呼び出し状態の表示機能、対応するパチンコ遊技機１での稼動データに基づいて作成した後述の遊技客向けデータを表示する機能、パチンコ遊技機１及び台間玉貸機１０のためのデータ入出力インタフェースの機能などを備えている。
【００４９】
特に、呼出ランプユニット１１にあっては、対応するパチンコ遊技機１が大当たりにある期間には、表示ランプ１１ａ〜１１ｃをサイクリックに点滅させるという表示動作を行い、パチンコ遊技機１が確変／時短遊技状態にあるとき並びに時短単独遊技状態にあるときに表示ランプ１１ｂ、１１ｃを交互に点滅させるという表示動作を行う構成となっている。尚、呼出ランプユニット１１は、対応するパチンコ遊技機１が確変単独遊技状態にある旨の表示動作を行わない構成となっている。
【００５０】
図５には、呼出ランプユニット１１の電気的構成が機能ブロックの組み合わせにより示されている。この図５において、制御部１５（表示制御手段に相当）は、ＣＰＵ１６、制御プログラムを記憶したＲＯＭ１７及びワーキングエリア用のＲＡＭ１８などと共にマイクロコンピュータを構成するもので、この制御部１５は、パチンコ遊技機１からの出力信号（アウト信号、セーフ信号、スタート信号、大当たり信号、確変信号など）を送受信部１９を通じて受信すると共に、管理装置１３との間での信号及びデータの授受を当該送受信部１９を通じて行うようになっている。制御部１５には、上記のようなパチンコ遊技機１及び管理装置１３からの出力信号、前記リモコン受信部１１ｋでの受信信号、前記データ切換ボタン１１ｅ、呼出ボタン１１ｆ、「戻る」ボタン１１ｇ、履歴ボタン１１ｈ、右ボタン１１ｉ、左ボタン１１ｊの押圧操作に応じてオンされる操作スイッチ群２０からの操作信号が入力される構成となっている。制御部１５は、予め記憶した制御プログラムに基づいて、表示ランプ１１ａ〜１１ｃの点灯制御及び表示部１１ｄでのデータ表示制御を後述のように行うと共に、前記送受信部１９を通じた管理装置１３への信号送信制御を行う構成となっている。
【００５１】
一方、管理装置１３は、パチンコ遊技機１及び台間玉貸機１０から出力される種々の信号（アウト信号、セーフ信号、スタート信号、大当たり信号、確変信号、売上信号など）に基づいて、パチンコ遊技機１についての稼動データ（アウト玉数、セーフ玉数、差玉数、稼動率、出玉率、ベース、スタート数など）、並びに台間玉貸機１０についての貸出高データ（売上金額、割数など）を集計して格納するという周知のデータ集計機能を備えた構成となっている。
【００５２】
特に、管理装置１３は、パチンコ遊技機１からの大当たり信号、確変信号、スタート信号の入力状態に基づいて、当該パチンコ遊技機１が前述した確変／時短遊技状態、確変単独遊技状態、時短単独遊技状態、通常遊技状態の何れの状態にあるかを識別し、その識別結果及びパチンコ遊技機１からのアウト信号、セーフ信号、スタート信号などに基づいて、各パチンコ遊技機１に係る稼動データを個別に集計する構成となっている。
【００５３】
図７〜図１２には、管理装置１３による制御内容のうち、１台のパチンコ遊技機１についての稼動データ、特には図１３に示すような大当たり履歴データを作成するのに必要な稼動データを集計するための制御内容が示されており、以下、これについて関連した作用と共に説明する。
【００５４】
まず、図１３に示す大当たり履歴データは、１台のパチンコ遊技機１についてのものであり、データ項目としては、以下に列挙した個別データを示すための「状態」、「Ｔ１」、「発生時刻」、「ＢＯ」、「Ｂサ」、「ＲＳ」、「Ｔ１Ｙ」、「確変Ｓ」、「確継Ｓ」、「時短Ｓ」、「時継Ｓ」が設定されている。
【００５５】
・状態：数字は初当たり（パチンコ遊技機１が通常状態にある期間における大当たり）の通算回数、Ａは確変状態中の大当たり、Ｋは確変状態の終了、現在は現在時点でのレコードであることを示す、
・Ｔ１：累計大当たり回数、
・発生時刻：大当たりが発生した時刻、確変が終了した時刻、
・ＢＯ：大当たり中以外のアウト数、具体的には各レコード間における大当たり中アウト数を除いたアウト数、
・Ｂサ：大当たり中以外の差玉数、具体的には各レコード間における大当たり中差玉数を除いた差玉数、
・ＲＳ：各レコード間のスタート数、
・Ｔ１Ｙ：大当たり中の差玉数、
・確変Ｓ：確変中スタート数、つまり確変期間中のスタート数（期間毎スタート数に相当）、
・確継Ｓ：確変継続スタート数、つまり確変状態が大当たり発生の有無とは関係なく実質的に継続している期間（大当たりの発生に伴う中断時期も含む期間）のスタート数（特別状態継続スタート数、転落抽選動作の実行回数に相当）、
・時短Ｓ：時短スタート数、つまり時短期間中のスタート数、
・時継Ｓ：時短継続スタート数、つまり時短状態が大当たり発生の有無とは関係なく実質的に継続している期間（大当たりの発生に伴う中断時期も含む期間）のスタート数。
【００５６】
尚、「確継Ｓ」欄に記録される「＊」は、確変状態が次のレコードに持ち越されたことを示し、また、「時継Ｓ」欄に記録される「＊」は、時短状態が次のレコードに持ち越されたことを示すものである。
【００５７】
この場合、大当たり履歴データにあっては、当該パチンコ遊技機１において大当たりが発生したとき或いは確変状態が終了したときに新たに作成されるレコードと、現在時点でのＢＯ、Ｂサ、ＲＳを記録したレコードとを組み合わせたものであり、これらレコードの他に、ＢＯ、Ｂサ、ＲＳ、Ｔ１Ｙ、確変Ｓ、確継Ｓ、時短Ｓ、時継Ｓに係る平均値及び合計値がそれぞれ記録される構成となっている。但し、ＢＯ、Ｂサ、ＲＳ、Ｔ１Ｙ、確変Ｓ、時短Ｓについての各平均値は、それぞれに対応する合計値を大当たり回数（図１３の例では９回）により除算した値であるが、確継Ｓについての平均値は、対応する合計値を確変に突入した回数（図１３の例では３回）により除算した値であり、また、時継Ｓについての平均値は、対応する合計値を時短に突入した回数（図１３の例では５回）により除算した値である。
【００５８】
以下においては、上記大当たり履歴データの作成に関する管理装置１３での制御内容（図７〜図１２）について説明する。
図７に示すように、管理装置１３は、アウト信号入力処理ルーチンＲ１、セーフ信号入力処理ルーチンＲ２、スタート信号入力処理ルーチンＲ３、大当たり信号入力処理ルーチンＲ４、確変信号入力処理ルーチンＲ５から成るメインプログラムを反復実行する構成となっている。
【００５９】
図８には、アウト信号入力処理ルーチンＲ１の内容が示されている。このルーチンＲ１では、アウト信号の入力の有無を判断し（ステップＡ１）、非入力状態ではそのままリターンする。これに対して、アウト信号が入力されたときには、大当たり中フラグがオン状態にあるか否かを判断する（ステップＡ２）。尚、上記大当たり中フラグは、後述の説明から明らかになるように、パチンコ遊技機１が大当たりにある期間にオンされるものである。
【００６０】
大当たり中フラグがオンの場合には、Ｔ１Ｙ（大当たり中の差玉数）をデクリメントするステップＡ３を実行した後にリターンし、また、大当たり中フラグがオフの場合には、ＢＯ（大当たり中以外のアウト数）、Ｂサ（大当たり中以外の差玉数）をインクリメントするステップＡ４を実行した後にリターンする。
【００６１】
上記したアウト信号入力処理ルーチンＲ１が実行される結果、大当たり中フラグがオン状態にある期間には、アウト信号が入力される毎（パチンコ遊技機１において打込玉（アウト）が発生する毎）にＴ１Ｙがデクリメントされると共に、大当たり中フラグがオフ状態にある期間には、アウト信号が入力される毎にＢＯ、Ｂサがインクリメントされることになる。
【００６２】
図９には、セーフ信号入力処理ルーチンＲ２の内容が示されている。このルーチンＲ２では、セーフ信号の入力の有無を判断し（ステップＢ１）、非入力状態ではそのままリターンする。これに対して、セーフ信号が入力されたときには、大当たり中フラグがオン状態にあるか否かを判断する（ステップＢ２）。
【００６３】
大当たり中フラグがオンの場合には、Ｔ１ＹをインクリメントするステップＢ３を実行した後にリターンし、また、大当たり中フラグがオフの場合には、ＢサをデクリメントするステップＢ４を実行した後にリターンする。
【００６４】
上記したセーフ信号入力処理ルーチンＲ２が実行される結果、大当たり中フラグがオン状態にある期間には、セーフ信号が入力される毎（パチンコ遊技機１において入賞玉（セーフ）が発生する毎）にＴ１Ｙがインクリメントされると共に、大当たり中フラグがオフ状態にある期間には、セーフ信号が入力される毎にＢサがデクリメントされることになる。
【００６５】
図１０には、スタート信号入力処理ルーチンＲ３の内容が示されている。このルーチンＲ３では、スタート信号の入力の有無を判断し（ステップＣ１）、非入力状態ではそのままリターンする。これに対して、スタート信号が入力されたときには、ＲＳ（大当たり履歴データの各レコード間のスタート数）をインクリメントし（ステップＣ２）、確変中フラグがオン状態にあるか否かを判断する（ステップＣ３）。尚、上記確変中フラグは、後述の説明から明らかになるように、パチンコ遊技機１が確変状態にある期間にオンされるものである。
【００６６】
確変中フラグがオンの場合には、確変中スタート数をインクリメントするステップＣ４、確変継続スタート数（特別状態継続スタート数に相当）をインクリメントするステップＣ５を順次実行した後に、時短中フラグがオン状態にあるか否かを判断する（ステップＣ６）。尚、このステップＣ６は、前記ステップＣ３で「ＮＯ」と判断された場合（確変中フラグがオフ状態にあった場合）にも実行されるものである。
【００６７】
ステップＣ６で「ＮＯ」と判断した場合には、そのままリターンするが、「ＹＥＳ」と判断した場合には、時短中スタート数をインクリメントするステップＣ７、時短継続スタート数をインクリメントするステップＣ８、状態判定用スタート数をインクリメントするステップＣ９を順次実行した後に、当該状態判定用スタート数が「５０」（前述した規定回数に相当した値）に達したか否かを判断する（ステップＣ１０）。
【００６８】
状態判定用スタート数≠５０の場合にはそのままリターンするが、状態判定用スタート数＝５０となった場合には、時短中フラグをオフするステップＣ１１を実行した後にリターンする。尚、上記状態判定用スタート数は、後述の説明により明らかとなるように、パチンコ遊技機１において発生した大当たりが終了し、これに応じて時短中フラグがオンされたときに初期値（＝０）にイニシャライズされるものである。
【００６９】
上記したスタート信号入力処理ルーチンＲ３が実行される結果、スタート信号が入力される毎（パチンコ遊技機１の特別図柄表示部９ａにおいてルーレットの図柄変動演出動作が行われる毎）にＲＳがインクリメントされる。また、そのスタート信号の入力時点において確変中フラグがオンされていた場合には、確変中スタート数及び確変継続スタート数がインクリメントされる。さらに、上記スタート信号の入力時点において、時短中フラグがオンされていた場合には、時短中スタート数、時短継続スタート数及び状態判定用スタート数がインクリメントされる。特に、この場合、そのインクリントに応じて上記状態判定用スタート数が「５０」に達したとき、つまり、大当たり終了後のスタート数が規定回数である５０回に達したときには、時短中フラグがオフされる。
【００７０】
図１１には、大当たり信号入力処理ルーチンＲ４の内容が示されている。このルーチンＲ４では、大当たり中フラグのオン状態を判断し（ステップＤ１）、オフの場合には大当たり信号が入力開始されたか否かを判断する（ステップＤ２）。このステップＤ２で「ＮＯ」と判断される場合（大当たり信号が入力されていない状態にある場合）には、そのままリターンするが、大当たり信号が入力開始されたときには、その時点の時刻を発生時刻として記憶するステップＤ３、Ｔ１（累計大当たり回数）をインクリメントしてレコードの「Ｔ１」欄に書き込むために記憶するステップＤ４、大当たり中フラグをオンするステップＤ５を順次実行した後に、確変中フラグのオン状態を判断する（ステップＤ６）。確変中フラグがオフの場合には、初当たり回数をインクリメントしてレコードの「状態」欄に書き込むために記憶するステップＤ７を実行した後にステップＤ１０へ移行する。これに対して、確変中フラグがオンの場合には、レコードの「状態」欄に「Ａ」を書き込むために記憶するステップＤ８、その時点での確変継続スタート数を保留確変スタート数として一時的に記憶すると同時に、レコードの「確継」Ｓ欄に書き込むための「＊」を記憶するステップＤ９を順次実行した後にステップＤ１０へ移行する。
【００７１】
ステップＤ１０では、時短中フラグのオン状態を判断するものであり、オフの場合にはそのままリターンする。これに対して時短中フラグがオンの場合には、その時点での時短継続スタート数を保留時短スタート数として一時的に記憶すると同時に、レコードの「時継」Ｓ欄に「＊」を記憶するステップＤ１１を実行した後にリターンする。
【００７２】
一方、大当たり中フラグがオンであった場合（ステップＤ１で「ＹＥＳ」）には、大当たり信号の入力が終了したか否か、つまり、大当たり信号が立ち下がったか否かを判断し（ステップＤ１２）、ここで「ＮＯ」と判断したときにはそのままリターンする。これに対して、大当たり信号の入力が終了したときには、大当たり中フラグをオフするステップＤ１３、時短中フラグをオンするステップＤ１４、状態判定用スタート数を初期値にイニシャライズするステップＤ１５を順次実行した後に、前記ステップＤ３、Ｄ４、Ｄ７、Ｄ８、Ｄ９、Ｄ１１で記憶したデータ、並びに前記アウト信号入力処理ルーチンＲ１、セーフ信号入力処理ルーチンＲ２、スタート信号入力処理ルーチンＲ３にて得られるＢＯ、Ｂサ、ＲＳ、Ｔ１Ｙ、確変Ｓ（確変中スタート数）、時短Ｓ（時短中スタート数）の各データを書き込んだ新レコードを作成する（ステップＤ１６）。
【００７３】
この新レコード作成後には、前記ステップＤ９で一時的に記憶した保留確変スタート数を確変継続スタート数に加算するステップＤ１７、前記ステップＤ１１で一時的に記憶した保留時短スタート数を時短継続スタート数に加算するステップＤ１８を順次実行した後にリターンする。
【００７４】
上記した大当たり信号入力処理ルーチンＲ４が実行される結果、大当たり信号の入力が開始されたとき（パチンコ遊技機１において大当たりが発生したとき）に、その発生時刻（大当たり発生時刻に対応）が記憶されると共に、Ｔ１（累計大当たり回数）がインクリメントされて記憶され、さらに大当たり中フラグがオンされる。
【００７５】
また、大当たり信号が入力開始された時点において確変中フラグがオフされた状態（上記大当たりが確変期間以外に発生した状態に相当）にあった場合には、レコードの「状態」欄に記憶するための初当たり回数がインクリメントして記憶される。これに対して、大当たり信号が入力開始された時点において確変中フラグがオンされた状態（上記大当たりが確変期間に発生した状態に相当）にあった場合には、レコードの「状態」欄のための「Ａ」が記憶されると共に、その時点での確変継続スタート数が保留確変スタート数として一時的に記憶される。さらに、大当たり信号が入力開始された時点において時短中フラグがオンされた状態（上記大当たりが時短期間に発生した状態に相当）にあった場合には、その時点での時短継続スタート数が保留時短スタート数として一時的に記憶される。
【００７６】
大当たり中フラグのオン状態から、大当たり信号の入力が停止されたとき（パチンコ遊技機１での大当たりが終了したとき）には、大当たり中フラグがオフされると共に、時短中フラグがオンされ、これと同時に、状態判定用スタート数（これは、前述したように、スタート信号の入力時点において、時短中フラグがオンされていた場合にインクリメントされる）が初期値にイニシャライズされる。また、これと同時に、所定のデータを記録した新レコードが作成されると共に、前記保留確変スタート数及び保留時短スタート数が、それぞれ確変継続スタート数及び時短継続スタート数に加算される。
【００７７】
図１２には、確変信号入力処理ルーチンＲ５の内容が示されている。このルーチンＲ５では、確変中フラグのオン状態を判断し（ステップＥ１）、オフの場合には確変信号が入力開始されたか否かを判断する（ステップＥ２）。このステップＥ２で「ＮＯ」と判断される場合（確変信号が入力されていない状態にある場合）には、そのままリターンするが、確変信号が入力開始されたときには、確変中フラグをオンするステップＥ３を実行した後にリターンする。
【００７８】
確変中フラグがオンであった場合（ステップＥ１で「ＹＥＳ」）には、確変信号の入力が終了したか否か、つまり、確変信号が立ち下がったか否かを判断し（ステップＥ４）、ここで「ＮＯ」と判断したときにはそのままリターンする。これに対して、確変信号の入力が終了したときには、確変中フラグをオフするステップＥ５、その時点の時刻を発生時刻として記憶するステップＥ６、レコードの「状態」欄に書き込むための「Ｋ」を記憶するステップＥ７、新レコードを作成するステップＥ８を順次実行した後にリターンする。
【００７９】
尚、この実施例では、パチンコ遊技機１から確変信号が継続的に出力される構成となっているが、当該パチンコ遊技機１が大当たり期間中に確変信号の出力を停止する構成であった場合には、確変信号の入力終了をもって確変中フラグをオフするステップＥ５に代えて、大当たり終了後に確変信号が出力されるか否かにより確変中フラグをオフするステップを設定することになる。
【００８０】
また、このときに作成されるレコードには、ステップＥ６、Ｅ７で記憶したデータ、前記大当たり信号入力処理ルーチンのステップＤ９、Ｄ１１で記憶したデータ、並びに前記アウト信号入力処理ルーチンＲ１、セーフ信号入力処理ルーチンＲ２、スタート信号入力処理ルーチンＲ３にて得られるＢＯ、Ｂサ、ＲＳ、確変Ｓ（確変中スタート数）、時短Ｓ（時短中スタート数）の各データが書き込まれることになる。
【００８１】
上記した確変信号入力処理ルーチンＲ５が実行される結果、確変信号の入力が開始されたとき（パチンコ遊技機１において確変が発生したとき（実際には、確変／時短遊技状態が発生したとき））に確変中フラグがオンされる。また、確変信号の入力が停止されたとき（パチンコ遊技機１での確変が終了したとき（実際には、確変／時短遊技状態から時短単独状態へ移行したとき、或いは確変単独遊技状態が終了したとき））には、確変中フラグがオフされると共に、発生時刻（確変終了時刻に対応）が記憶されると共に、レコードの「状態」欄のための「Ｋ」が記憶され、これと同時に所定のデータを記録した新レコードが作成される。
【００８２】
以上のように、管理装置１３において、アウト信号入力処理ルーチンＲ１、セーフ信号入力処理ルーチンＲ２、スタート信号入力処理ルーチンＲ３、大当たり信号入力処理ルーチンＲ４、確変信号入力処理ルーチンＲ５が実行されるのに応じて、図１３のような大当たり履歴データが作成されるものである。
【００８３】
要するに、図１３の例では、レコード中に記録された「状態」欄、「Ｔ１」欄、「発生時刻」欄の各データに基づいて、パチンコ遊技機１の遊技パターンが以下＜１＞〜＜３＞のような形態であったことが分かる。
【００８４】
＜１＞１０時５０分の１回目の大当たり、１２時２０分の４回目の大当たり、１４時３０分の８回目の大当たりは、パチンコ遊技機１が通常遊技状態にあるときに発生した所謂初当たりである。
【００８５】
＜２＞１０時５８分の２回目の大当たり、１１時００分の３回目の大当たり、１２時２６分の５回目の大当たり、１２時４０分の６回目の大当たり、１２時５２分の７回目の大当たり、１４時３８分の９回目の大当たりは、確変期間（確変／時短遊技状態若しくは確変単独遊技状態にある期間）に発生した所謂甘モードでの大当たりである（２〜３回目の大当たり、５〜７回目の大当たり、９回目の大当たりは所謂連チャンによる大当たり）。
【００８６】
＜３＞３回目の大当たり終了後の１１時０８分、７回目の大当たり終了後の１２時５８分、９回目の大当たり終了後の１５時０１分には、確変転落抽選動作に当選するのに応じて確変状態が終了した。
【００８７】
特に、確変中に大当たりが発生したときに作成されるレコード（図１３の例では、第２、第３、第６〜第８、第１１番目の各レコード）にあっては、その「確変Ｓ」欄に、大当たりの発生時点までの確変中スタート数（期間毎スタート数）が記録されると共に、「確継Ｓ」欄に、確変状態が実施的に継続していることを示すことになる「＊」が記録される。また、確変が終了したときに作成されるレコード（図１３の例では、第４、第９、第１２番目の各レコード）にあっては、その「確変Ｓ」欄に、確変終了時点（確変転落抽選動作に当選した時点）までの確変中スタート数（期間毎スタート数）が記録されると共に、「確継Ｓ」欄に、確変継続スタート数（特別状態継続スタート数）が記録される。
【００８８】
また、第１回目の大当たり及び現在時点に係るレコード以外のレコード（図１３の例では、第２〜第１２番目の各レコード）にあっては、その「時短Ｓ」欄に、大当たりの発生時点或いは確変終了時点までの時短スタート数が記録されると共に、「時継Ｓ」欄に、時短状態が実施的に継続していることを示すことになる「＊」或いはその時短継続状態が終了した時点までの時短継続スタート数が記録される。
【００８９】
尚、具体的に図示しないが、管理装置１３は、上記のような大当たり履歴データの作成機能の他に、多数台のパチンコ遊技機１の各々に関する種々の稼動データを集計・演算すると共に、その稼動データをパチンコ遊技機１の台番号毎に区分して蓄積する機能を備えたものであり、例えば、累計アウト数、累計セーフ数、大当たり中アウト数、大当たり中セーフ数、時短中アウト数、時短中セーフ数、累計スタート数、確変中スタート数、確変中無当たりスタート数、時短中スタート数、累計大当たり数、確変中大当たり数、確変／時短中スタート数など素データを集計して蓄積すると共に、それらの素データに基づいて、以下のような各データを算出して蓄積するようになっている。
【００９０】
・ＢＯ：ベース期間中の累計アウト数（＝累計アウト数−大当たり中アウト数−時短中アウト数）、
・Ｂセーフ：ベース期間中の累計セーフ数（＝累計セーフ数−大当たり中セーフ数−時短中セーフ数）、
・ベース：ベース期間中の出玉率（＝（Ｂセーフ÷ＢＯ）×１００）、
・ＢＡ：時短中の出玉率（＝（時短中セーフ数÷時短中アウト数）×１００）、
・ベース中累計スタート数：ベース期間中の累計スタート数（＝累計スタート数−時短中スタート数）、
・Ｓ：ベース期間中のスタート入賞率（＝（ベース中累計スタート数÷ＢＯ）×１００）、
・ＳＡ：時短中のスタート入賞率（＝（時短中スタート数÷時短中アウト数）×１００）、
・通常確率累計スタート数：通常確率期間の累計スタート数（＝累計スタート数−確変中スタート数）、
・通常確率大当たり数：通常確率期間に発生した大当たりの累計回数（累計大当たり数−確変中大当たり数）、
・ＴＳ：通常確率にある期間中の大当たり確率（＝通常確率累計スタート数÷通常確率大当たり数）
・ＴＳＡ：確変期間中の大当たり確率（＝確変中スタート数÷確変中大当たり数）、
・累計ＴＳ：全体の大当たり確率（＝累計スタート数÷累計大当たり数）、
・確変継続大当たり回数：大当たり発生時点から確変転落抽選動作に当選するまでの期間における大当たりの合計発生回数、つまり、通常確率時に発生した大当たり及びその後の実質的な確変継続期間に連続して発生した大当たりの合計回数（継続期間合計大当たり回数に相当）、
・確変継続数最大値：確変発生後に当該確変が確変転落抽選動作により終了するまでの期間に発生した大当たりの継続回数の最大値、
・平均確変継続スタート数：確変期間中の平均スタート継続数（＝確変中スタート数÷累計確変突入数＝確変中スタート数÷累計大当たり数）、
・確変継続無当たりスタート数：確変期間中に大当たりが発生しなかったときの平均スタート継続数（＝確変中無当たりスタート数÷大当たりに結びつかなかった確変への突入数＝確変中無当たりスタート数÷通常確率大当たり数）、
・確変スタート率：累計スタート数のうちの確変中スタート数の割合（＝（確変中スタート数÷累計スタート数）×１００）、
・ベース中確変スタート数：第１期間中の累計確変中スタート数（＝確変中スタート数−確変／時短中スタート数）、
・時短中確変率：時短中スタート数のうちの確変中スタート数の割合（＝（確変／時短中スタート数÷時短中スタート数）×１００）、
・ベース中確変率：ベース期間中の確変中スタート数の割合（＝ベース中確変スタート数÷ベース中累計スタート数）、
・ベース中通常確率Ｓ：ベース期間中で尚且つ通常確率期間のスタート数（＝累計スタート数−確変中スタート数−時短中スタート数＋確変／時短中スタート数）、
・ベース通確スタート率：累計スタート数のうちのベース中通常確率Ｓの割合（＝（ベース中通常確率Ｓ÷累計スタート数）×１００）。
【００９１】
さて、呼出ランプユニット１１内の制御部１５は、対応するパチンコ遊技機１からの大当たり信号、確変信号、スタート信号を利用して図１４〜図１７に示すような制御を実行することにより、表示部１１ｄに対して図１８〜図２２に例示するような第１〜第５の大当たり履歴データ画面を表示する構成となっている。
【００９２】
ここでは、まず、第１〜第５の大当たり履歴データ画面の表示例を示す図１８〜図２２について説明する。
【００９３】
［１］第１の大当たり履歴データ画面（図１８）
制御部１５は、通常時において表示部１１ｄに対し図１８のような第１の大当たり履歴データ画面を表示する。この第１の大当たり履歴データ画面は、パチンコ遊技機１において通常状態時の確率（１／３００）で大当たりが発生したタイミング毎の履歴データを、表示部１１ｄに設定された各表示エリアに表示するものである。
具体的には、図１８において、第１の大当たり履歴データ画面には、以下（１）〜（８）のような表示エリアが設定される。
【００９４】
（１）第１表示エリアａ：「スタート」の文字が表示されると共に、その文字と対応付けた状態で、前回の大当たりから現在時点までのスタート数がデジタル表示される。但し、大当たりが未発生の時点では、当日の営業開始時点から現在時点までのスタート数がデジタル表示される。
【００９５】
（２）第２表示エリアｂ：「累計スタート」の文字が表示されると共に、その文字と対応付けた状態で、当日の累計スタート数がデジタル表示される。
【００９６】
（３）第３表示エリアｃ：「本日」の文字及びこれに対応した「大当たり回数」、「確変」の各文字が表示されると共に、「大当たり回数」の文字と対応付けた状態で、当日の累計大当たり回数がデジタル表示され、「確変」の文字と対応付けた状態で、当日における確率変動状態での累計大当たり回数（当日大当たり回数）がデジタル表示される。
【００９７】
（４）第４表示エリアｄ：「大当たり回数履歴」の文字及びこれに対応した「１日前」の文字及び「２日前」の文字が表示されると共に、「１日前」の文字と対応付けた状態で前日（営業日）の累計大当たり回数がデジタル表示され、「２日前」の文字と対応付けた状態で前々日（営業日）の累計大当たり回数がデジタル表示される。
【００９８】
（５）第５表示エリアｅ：「過去最高」及び「大当たり回数」の文字が表示されると共に、その文字と対応付けた状態で過去の営業日において記録された最高の大当たり回数がデジタル表示される。
【００９９】
（６）第６表示エリアｆ：「大当たり間スタート（×１００）」の文字が表示されると共に、その下方部に「只今」、「１」、「２」、……、「１０」の文字が横一列に表示される。そして、「只今」の文字に対応付けた状態で、最新の大当たりから現在時点までの大当たり間スタート数が、１目盛により１〜１００回を示すデータセットから成る棒グラフによって表示される。また、「１」、「２」、……、「１０」の文字にそれぞれ対応付けた状態で、過去１０回分の確変継続期間のそれぞれに対応した初当たり時の大当たり間スタート数についての履歴データが、１目盛により１〜１００回を示すデータセットから成る棒グラフによって表示される。
【０１００】
この場合、各棒グラフの表示可能なデータセット数は１０セット（つまり、表示可能なスタート数は１０００回（１００×１０））であるため、表示対象の大当たり間スタート数が１０００回を超えた場合には、当該超過部分の表示は行われない。尚、超過部分がある場合には、当該超過部分がある棒グラフについて、所定のデータセットを点滅表示させる制御（例えば、全部のデータセットを点滅させる制御、或いは全部のデータセットを点灯させた状態で、表示大当たり間スタート数が「１００１〜１１００」のときに１セット目だけを点滅させ、表示スタート数が「１１０１〜１２００」のときに１セット目及び２セットだけを点滅させるというような制御）や、表示色を変更する制御（例えば、全部のデータセットを他と異なる特定の色で表示する制御、或いは全部のデータセットを他と異なる特定の色で表示させた状態で、表示大当たり間スタート数が「１００１〜１１００」のときに１セット目だけを点滅或いは上記特定色と異なる色で表示させ、表示大当たり間スタート数が「１１０１〜１２００」のときに１セット目及び２セットだけを点滅させ或いは上記特定色と異なる色で表示させるというような制御）を行うことにより、その旨を表示する構成としても良い。
【０１０１】
（７）第７表示エリアｇ：「継続数」の文字が表示されると共に、前記第６表示エリアｆ中の過去１０回分の履歴データを示す各棒グラフに対応した期間（確変状態が継続している期間）での大当たり回数、つまり確変継続大当たり回数（継続期間合計大当たり回数に相当）が、それぞれデジタル表示される。
【０１０２】
（８）第８表示エリアｈ：「最高継続数」の文字が表示されると共に、その文字と対応付けた状態で、当日における確変継続数最大値（確変発生後に当該確変が確変により終了するまでの期間に発生した大当たりの継続回数の最大値）がデジタル表示される。
【０１０３】
［２］第２の大当たり履歴データ画面（図１９）
制御部１５は、上記第１の大当たり履歴データ画面を表示した状態からデータ切換ボタン１１ｅが１回操作された場合に、表示部１１ｄの表示画面を図１９に示すような第２の大当たり履歴データ画面に切換える。
具体的には、図１９に示す第２の大当たり履歴データ画面では、前記第１表示エリアａ、第３表示エリアｃ、第４表示エリアｄ、第５表示エリアｅ、第７表示エリアｇ、第８表示エリアｈについては、その表示内容を変更することなく保持し、前記第２表示エリアｂ、第６表示エリアｆの表示内容を以下（１）、（２）に示すように変更する。
【０１０４】
（１）第２表示エリアｂ：「平均確変継続スタート」の文字が表示されると共に、その文字と対応付けた状態で、平均確変継続スタート数（確変期間中の平均スタート継続数）が表示される。
【０１０５】
（２）第６表示エリアｆ：「確変継続スタート（×２０）」の文字が表示されると共に、その下方部に「１」、「２」、……、「１０」の文字が横一列に表示され、それらの文字と非対応の最左端位置（第１の大当たり履歴データ画面（図１８）において「只今」の文字が表示される位置）と対応付けた状態で、前回の大当たりから現在時点までのスタート数が、１目盛により１〜２０回を示すデータセットから成る棒グラフによって表示される。また、「１」、「２」、……、「１０」の数字にそれぞれ対応付けた状態で、過去１０回分の確変継続スタート数の履歴データについて、１目盛により１〜２０回を示すデータセットから成る棒グラフによって表示される。
【０１０６】
この場合、各棒グラフの表示可能なデータセット数は１０セット（つまり、表示可能なスタート数は２００回（２０×１０））であるため、表示対象のスタート数が２００回を超えた場合には、当該超過部分の表示は行われない。尚、超過部分がある場合には、当該超過部分がある棒グラフについて、所定のデータセットを点滅表示させる制御（例えば、全部のデータセットを点滅させる制御、或いは全部のデータセットを点灯させた状態で、表示スタート数が「２０１〜２２０」のときに１セット目だけを点滅させ、表示スタート数が「２２１〜２４０」のときに１セット目及び２セットだけを点滅させるというような制御）や、表示色を変更する制御（例えば、全部のデータセットを他と異なる特定の色で表示する制御、或いは全部のデータセットを他と異なる特定の色で表示させた状態で、表示スタート数が「２０１〜２２０」のときに１セット目だけを点滅或いは上記特定色と異なる色で表示させ、表示スタート数が「２２１〜２４０」のときに１セット目及び２セットだけを点滅させ或いは上記特定色と異なる色で表示させるというような制御）を行うことにより、その旨を表示する構成としても良い。
【０１０７】
［３］第３の大当たり履歴データ画面（図２０）
制御部１５は、前記第１の大当たり履歴データ画面を表示した状態からデータ切換ボタン１１ｅが２回操作された場合に、表示部１１ｄの表示画面を図２０に示すような第３の大当たり履歴データ画面に切換える。但し、前記第１の大当たり履歴データ画面（図１８）及び第２の大当たり履歴データ画面（図１９）は、確変期間が継続している期間は新たな履歴データ画面を作らないという性質のものであるのに対して、この第３の大当たり履歴データ画面は、確変期間が終了することに加え、大当たりが発生した場合にも新たな履歴データ画面を作るという性質のものである。
具体的には、図２０に示す第３の大当たり履歴データ画面では、前記第１表示エリアａ、第３表示エリアｃ、第４表示エリアｄ、第５表示エリアｅ、第８表示エリアｈについては、その表示内容を変更することなく保持し、前記第２表示エリアｂ、第６表示エリアｆ、第７表示エリアｇの表示内容を以下（１）〜（３）に示すように変更する。
【０１０８】
（１）第２表示エリアｂ：「平均確変スタート」の文字が表示されると共に、その文字と対応付けた状態で、確変中スタート数の平均値が表示される。
【０１０９】
（２）第６表示エリアｆ：「確変スタート（×２０）」の文字が表示されると共に、その下方部に「只今」、「１」、「２」、……、「１０」の文字が横一列に表示され、「只今」の文字と対応付けた状態で、前回の大当たりから現在時点までの確変中スタート数が、１目盛により１〜２０回を示すデータセットから成る棒グラフによって表示される。また、「１」、「２」、……、「１０」の数字にそれぞれ対応付けた状態で、過去１０回分の確変中スタート数の履歴データについて、１目盛により１〜２０回を示すデータセットから成る棒グラフによって表示される。
【０１１０】
この場合、各棒グラフの表示可能なデータセット数は１０セット（つまり、表示可能なスタート数は２００回（２０×１０））であるため、表示対象のスタート数が２００回を超えた場合には、当該超過部分の表示は行われない。尚、超過部分がある場合には、当該超過部分がある棒グラフについて、所定のデータセットを点滅表示させる制御或いは表示色を変更する制御を前述同様に行うことにより、その旨を表示する構成としても良い。
【０１１１】
（３）第７表示エリアｇ：前記第６表示エリアｆ中の過去１０回分の履歴データ（確変中スタート数）を示す各棒グラフに対応した位置に、該当期間において大当たりが発生した場合のみ大当たり情報である「０」を表示する。従って、大当たりの発生を伴うことなく確変が終了した場合には何も表示されない。
【０１１２】
［４］第４の大当たり履歴データ画面（図２１）
制御部１５は、前記第１の大当たり履歴データ画面を表示した状態からデータ切換ボタン１１ｅが３回操作された場合に、表示部１１ｄの表示画面を図２１に示すような第４の大当たり履歴データ画面に切換える。
具体的には、図２１に示す第４の大当たり履歴データ画面では、第３表示エリアｃ、第４表示エリアｄ、第５表示エリアｅ、第８表示エリアｈについては、その表示内容を変更することなく保持し、前記第１表示エリアａ、第６表示エリアｆ、第７表示エリアｇの表示内容を以下（１）〜（３）に示すように変更し、前記第２表示エリアｂは無表示状態とする。
【０１１３】
（１）第１表示エリアａ：「確変継続スタート（ランキング）」の文字が表示されると共に、その文字と対応付けた状態で、過去の確変継続スタート数に係るランキング１位のデータが表示される。この場合、左ボタン１１ｊの押下げ操作に応じてランキング下位のデータが表示され、右ボタン１１ｉの押下げ操作に応じてランキング上位のデータが表示されるようになっている。
【０１１４】
（２）第６表示エリアｆ：「確変継続スタートランキング（×２０）」の文字が表示されると共に、その下方部に「１」、「２」、……、「１０」の文字が横一列に表示され、それらの文字と対応付けた状態で、過去の確変継続スタート数に係るランキング１位から１０位のデータが、１目盛により１〜２０回を示すデータセットから成る棒グラフによって表示される。尚、各棒グラフのうち、前記第１表示エリアａにデジタル表示されている確変継続スタート数に対応するデータが、例えば点滅表示或いは他のデータと異なる色による表示により報知される構成となっている。
【０１１５】
この場合、各棒グラフの表示可能なデータセット数は１０セット（つまり、表示可能なスタート数は２００回（２０×１０））であるため、表示対象の確変継続スタート数が２００回を超えた場合には、当該超過部分の表示は行われない。尚、超過部分がある場合には、当該超過部分がある棒グラフについて、所定のデータセットを点滅表示させる制御或いは表示色を変更する制御を前述同様に行うことにより、その旨を表示する構成としても良い。
（３）第７表示エリアｇ：「継続数」の文字が表示されると共に、前記第６表示エリアｆ中の各棒グラフと対応した位置に、その棒グラフにより表示された確変継続スタート数の該当期間（確変状態が継続している期間）での大当たり回数がデジタル表示される。
【０１１６】
［５］第５の大当たり履歴データ画面（図２２）
制御部１５は、前記第１の大当たり履歴データ画面を表示した状態からデータ切換ボタン１１ｅが４回操作された場合に、表示部１１ｄの表示画面を図２２に示すような第５の大当たり履歴データ画面に切換える。尚、この第５の大当たり履歴データ画面の表示状態にてデータ切換ボタン１１ｅが操作されたときには、表示部１１ｄに第１の大当たり履歴データ画面を表示した初期状態に戻るものである。
具体的には、図２２に示す第５の大当たり履歴データ画面では、前記第３表示エリアｃ、第４表示エリアｄ、第５表示エリアｅ、第８表示エリアｈについては、その表示内容を変更することなく保持し、前記第１表示エリアａ、第２表示エリアｂ、第６表示エリアｆ、第７表示エリアｇの表示内容を以下（１）〜（４）に示すように変更する。
【０１１７】
（１）第１表示エリアａ：「確変スタート転落（ランキング）」の文字が表示されると共に、その文字と対応付けた状態で、過去における大当たり終了後から確変が終了するまでの期間（大当たりの発生まで、または確変転落抽選動作に当選するまでの期間）の確変中スタート数（以下、確変スタート転落数と呼ぶ）に係るランキング１位のデータが表示される。この場合、右ボタン１１ｉの押下げ操作に応じてランキング下位のデータが表示され、左ボタン１１ｊの押下げ操作に応じてランキング上位のデータが表示されるようになっている。
【０１１８】
（２）第２表示エリアｂ：「スタート（只今）」の文字が表示されると共に、その文字と対応付けた状態で、前回の大当たりから現在時点までのスタート数がデジタル表示される。但し、大当たりが未発生の時点では、当日の営業開始時点から現在時点までのスタート数がデジタル表示される。
【０１１９】
（３）第６表示エリアｆ：「確変スタート転落ランキング（×２０）」の文字が表示されると共に、その下方部に「１」、「２」、……、「１０」の文字が横一列に表示され、それらの文字と対応付けた状態で、過去の確変スタート転落数に係るランキング１位から１０位のデータが、１目盛により１〜２０回を示すデータセットから成る棒グラフによって表示される。尚、各棒グラフのうち、前記第１表示エリアａにデジタル表示されている確変スタート転落数に対応するデータが、例えば点滅表示或いは他のデータと異なる色による表示により報知される構成となっている。
【０１２０】
この場合、各棒グラフの表示可能なデータセット数は１０セット（つまり、表示可能なスタート数は２００回（２０×１０））であるため、表示対象の確変スタート転落数が２００回を超えた場合には、当該超過部分の表示は行われない。尚、超過部分がある場合には、当該超過部分がある棒グラフについて、所定のデータセットを点滅表示させる制御或いは表示色を変更する制御を前述同様に行うことにより、その旨を表示する構成としても良い。
【０１２１】
（４）第７表示エリアｇ：前記第６表示エリアｆ中の過去１０回分の履歴データ（確変スタート転落数）を示す各棒グラフに対応した位置に、該当期間において大当たりが発生した場合のみ大当たり情報である「０」を表示する。従って、大当たりの発生を伴うことなく確変が終了した場合には何も表示されない。
【０１２２】
一方、図１４〜図１７には、制御部１５による制御内容のうち、上述した第１〜第５の大当たり履歴データ画面（図１８〜図２２）の表示に係る制御内容が示されており、以下これについて説明する。
【０１２３】
即ち、制御部１５は、図１４に示すように、スタート信号入力処理ルーチンＲ１１、大当たり信号入力処理ルーチンＲ１２、確変信号入力処理ルーチンＲ１３から成るメインプログラムを反復実行する構成となっている。
【０１２４】
図１５には、スタート信号入力処理ルーチンＲ１１の内容が示されている。このルーチンＲ１１では、スタート信号の入力の有無を判断し（ステップＦ１）、非入力状態ではそのままリターンする。これに対して、スタート信号が入力されたときには、「只今のスタート数」（第１〜第３の大当たり履歴データ画面（図１８〜図２０）における第１表示エリアａに表示するためのスタート数、第５の大当たり履歴データ画面（図２２）における第２表示エリアｂに表示するためのスタート数）をインクリメントするステップＦ２、累計スタート数をインクリメントするステップＦ３を順次実行した後に、確変中フラグがオン状態にあるか否かを判断する（ステップＦ４）。尚、上記確変中フラグは、後述の説明から明らかになるように、対応するパチンコ遊技機１が確変状態にある期間にオンされるものである。
【０１２５】
確変中フラグがオフの場合にはそのままリターンするが、オンの場合には、確変中スタート数をインクリメントするステップＦ５、確変継続スタート数（特別状態継続スタート数に相当）をインクリメントするステップＦ６を順次実行した後にリターンする。
【０１２６】
上記したスタート信号入力処理ルーチンＲ１１が実行される結果、対応するパチンコ遊技機１からスタート信号が入力される毎（パチンコ遊技機１の特別図柄表示部９ａにおいてルーレットの図柄変動演出動作が行われる毎）に、「只今のスタート数」及び累計スタート数がインクリメントされる。また、そのスタート信号の入力時点において確変中フラグがオンされていた場合には、確変中スタート数及び確変継続スタート数がインクリメントされる。尚、スタート信号入力処理ルーチンＲ１１では、確変継続スタート数を、確変中スタート数と同時にインクリメントすることにより得る構成としたが、例えば、確変中スタート数のみをインクリメントし、確変が継続状態となったことが判明したときに、その確変中スタート数を確変継続スタート数に加算する構成であっても良い。
【０１２７】
図１６には、大当たり信号入力処理ルーチンＲ１２の内容が示されている。このルーチンＲ１２では、大当たり中フラグのオン状態を判断し（ステップＧ１）、オフの場合には大当たり信号が入力開始されたか否かを判断する（ステップＧ２）。このステップＧ２で「ＮＯ」と判断される場合（大当たり信号が入力されていない状態にある場合）には、そのままリターンするが、大当たり信号が入力開始されたときには、大当たり中フラグをオンするステップＧ３、大当たり回数をインクリメントするステップＧ４を実行した後に、確変中フラグのオン状態を判断する（ステップＧ５）。確変中フラグがオフの場合には、履歴表示更新処理ルーチンＧ６、継続大当たり回数をインクリメントするステップＧ７、最高大当たり更新処理ルーチンＧ８を順次実行した後にリターンする。
【０１２８】
上記履歴表示更新処理ルーチンＧ６では、表示部１１ｄに表示中の大当たり履歴データ（第１〜第５の大当たり履歴データ画面（図１８〜図２２）参照）を最新のものに切換える制御を行う。また、最高大当たり更新処理ルーチンＧ８では、表示部１１ｄに表示中の及び大当たり履歴データのうち、最高大当たり回数（第５表示エリアｅに表示）及び確変継続数最大値（第８表示エリアｈに表示）の少なくとも一方が更新された場合に、該当表示データを更新後のデータに変更するする制御を行う。
【０１２９】
これに対して、確変中フラグがオンであった場合には、確変大当たり回数（確変状態が継続している期間での大当たり回数）をインクリメントするステップＧ９、大当たり記録フラグを確変中スタート数についてのデータと関連付けた状態で記憶するステップＧ１０、確変中スタート数の現在時点での計数値を記憶してイニシャライズするステップＧ１１を順次実行した後に、前記ステップＧ７及び最高大当たり更新処理ルーチンＧ８を順次実行してリターンする。尚、上記大当たり記録フラグは、前記第３及び第５の大当たり履歴データ画面（図２０及び図２２）中の第７表示エリアｇに大当たり情報（「０」）を表示するために必要となるものである。
【０１３０】
一方、大当たり中フラグがオンであった場合（ステップＧ１で「ＹＥＳ」）には、大当たり信号の入力が終了したか否か、つまり、大当たり信号が立ち下がったか否かを判断し（ステップＧ１２）、ここで「ＮＯ」と判断したときにはそのままリターンする。これに対して、大当たり信号の入力が終了したときには、大当たり中フラグをオフするステップＧ１３、「只今のスタート数」を初期値にイニシャライズするステップＧ１４を順次実行した後にリターンする。
【０１３１】
上記した大当たり信号入力処理ルーチンＲ１２が実行される結果、大当たり信号の入力が開始されたとき（パチンコ遊技機１において大当たりが発生したとき）に、大当たり中フラグがオンされると共に、大当たり回数及び継続大当たり回数がインクリメントされる。このように大当たり信号が入力開始された時点において確変中フラグがオフされた状態（上記大当たりが確変期間以外に発生した状態（初当たりが発生した状態）に相当）にあった場合には、表示部１１ｄに表示中の大当たり履歴データが最新のものに切換えられると共に、最高大当たり回数及び確変継続数最大値の更新があったときには、表示部１１ｄに表示中の該当データ（第５表示エリアｅ、第８表示エリアｈの表示データ）も更新される。
【０１３２】
また、大当たり信号が入力開始された時点において確変中フラグがオンされた状態（上記大当たりが確変期間に発生した状態（連チャンが発生した状態）に相当）にあった場合には、確変大当たり回数がインクリメントされると共に、大当たり情報（「０」）の表示のための大当たり記録フラグがオンされ、確変中スタート数の現在時点での計数値が記憶される。尚、この場合においても、最高大当たり回数及び確変継続数最大値の更新があったときには、表示部１１ｄに表示中の該当データ（第５表示エリアｅ、第８表示エリアｈの表示データ）が更新される。
【０１３３】
さらに、大当たり信号の入力が停止されたとき（パチンコ遊技機１での大当たりが終了したとき）には、大当たり中フラグがオフされると共に、表示部１１ｄに表示中の「前回の大当たりから現在時点までのスタート数」が初期値（＝０）にイニシャライズされる。
【０１３４】
図１７には、確変信号入力処理ルーチンＲ１３の内容が示されている。このルーチンＲ１３では、確変中フラグのオン状態を判断し（ステップＨ１）、オフの場合には確変信号が入力開始されたか否かを判断する（ステップＨ２）。このステップＨ２で「ＮＯ」と判断される場合（確変信号が入力されていない状態にある場合）には、そのままリターンするが、確変信号が入力開始されたときには、確変中フラグをオンするステップＨ３を実行した後にリターンする。
【０１３５】
確変中フラグがオンであった場合（ステップＨ１で「ＹＥＳ」）には、確変信号の入力が終了したか否か、つまり、確変信号が立ち下がったか否かを判断し（ステップＨ４）、ここで「ＮＯ」と判断したときにはそのままリターンする。これに対して、確変信号の入力が終了したときには、確変中フラグをオフするステップＨ５、確変中スタート数の現在時点での計数値を記憶してイニシャライズするステップＨ６、確変継続スタート数の現在時点での計数値を記憶してイニシャライズするステップＨ７、継続大当たり回数を記憶してイニシャライズするステップＨ８を順次実行した後にリターンする。
【０１３６】
尚、この実施例では、パチンコ遊技機１から確変信号が継続的に出力される構成となっているが、当該パチンコ遊技機１が大当たり期間中に確変信号の出力を停止する構成であった場合には、確変信号の入力終了をもって確変中フラグをオフするステップＨ５に代えて、大当たり終了後に確変信号が出力されるか否かにより確変中フラグをオフするステップを設定することになる。
【０１３７】
上記した確変信号入力処理ルーチンＲ１３が実行される結果、確変信号の入力が開始されたとき（パチンコ遊技機１において確変が発生したとき（実際には、確変／時短遊技状態が発生したとき））に確変中フラグがオンされる。また、確変信号の入力が停止されたとき（パチンコ遊技機１での確変が終了したとき（実際には、確変／時短遊技状態から時短単独状態へ移行したとき、或いは確変単独遊技状態が終了したとき））には、確変中フラグがオフされると共に、確変中スタート数、確変継続スタート数、継続大当たり回数の計数値が記憶された後に、その計数値がイニシャライズされる。
【０１３８】
上記した本実施例の構成によれば、以下に述べるような作用・効果を奏することができる。
即ち、パチンコ遊技機１においては、スタート入賞口６へのパチンコ玉の入賞に応じて所定の当たり確率の大当たり抽選動作を実行し、その抽選結果を特別図柄表示部９ａでの図柄変動演出動作により報知すると共に、当該抽選結果が当たりの場合に遊技者側に有利な大当たりが発生するようになる。そして、大当たりが一旦発生したときに、その大当たり終了後に遊技者側に有利な確変及び時短の双方が同時に発生した確変／時短遊技状態を呈し、その確変／時短遊技状態において、スタート入賞口６へパチンコ玉が入賞する毎に行われる確変転落抽選動作に当選したときに確変が終了して時短単独遊技状態を呈し、また、確変／時短遊技状態において、スタート数（特別図柄表示部９ａでの図柄変動演出動作回数）が規定回数（５０回）実行されたときに時短が終了して確変単独遊技状態を呈することになる（上記各状態は、大当たりが再発生したときにも終了される）。つまり、特に、確変期間の終了時期は、確変転落抽選動作の結果に依存して変化することになり、また、確変の終了タイミング及び時短の終了タイミングが自ずと異なるようになるから、大当たり終了後には、確変／時短遊技状態の期間を経た後に、確変単独遊技状態または時短単独遊技状態の何れかの期間を経て通常遊技状態へ戻ることになる。
【０１３９】
また、パチンコ遊技機１からは、大当たりにある期間に大当たり信号が出力され、確変にある期間に確変信号が出力され、特別図柄表示部９ａの動作が開始されたときにスタート信号が出力され、これらの信号が、呼出ランプユニット１１及び管理装置１３に与えられるようになっており、呼出ランプユニット１１及び管理装置１３においては、大当たりの発生及び終了を大当たり信号に基づいて判定できると共に、確変が終了したことを確変信号に基づいて判定できる。特に、管理装置１３においては、時短が終了したことを大当たり信号及びスタート信号に基づいて判定する。具体的には、大当たり信号に基づいて判定した大当たり終了後におけるスタート数を上記スタート信号に基づいて計数し、計数したスタート数が、規定回数である５０回に到達したときに時短が終了した旨の判定を行う構成となっている。
【０１４０】
これにより、管理装置１３においては、上記のような判定結果及び前記確変信号に基づいて、パチンコ遊技機１で確変及び時短が双方とも発生している重複期間、確変のみが発生している第１期間、時短のみが発生している第２期間、大当たりの発生期間を正確に識別できるようになる。また、呼出ランプユニット１１においては、上記のような判定結果及び確変信号に基づいて、パチンコ遊技機１で確変が発生している期間、確変が終了した期間、大当たりの発生期間を正確に識別できるようになる。
【０１４１】
この場合、管理装置１３においては、パチンコ遊技機１において確変が一旦発生したときに、その後に確変転落抽選動作に当選するまでの期間（確変が大当たりの再発生によらずに終了するまでの期間）におけるスタート回数（大当たり抽選動作の実行回数）を、前述した識別結果を利用して累算し、その累算結果を確変継続スタート数（本実施例の場合、確変転落抽選動作の実行回数を示すことになる）として出力するようになる。尚、この確変継続スタート数は、図１３に示す大当たり履歴データの「確継Ｓ」欄に記録された状態で出力される。
【０１４２】
要するに、管理装置１３からは、確変が一旦発生した時点から確変転落抽選動作に当選するまでの期間（確変状態が実質的に継続している期間）におけるスタート数を示すデータ、つまりパチンコ遊技機１の傾向（遊技特性）を把握する上で重要なデータである確変継続スタート数を出力できるようになる。この結果、大当たり抽選動作の結果に応じて大当たりが発生すると共に、その大当たり後に発生した確変状態の終了時期が遊技に伴い行われる確変転落抽選動作により決まる構成のパチンコ遊技機１が管理対象であった場合でも、その管理を適切に行い得ることになる。
【０１４３】
また、呼出ランプユニット１１内の制御部１５においては、パチンコ遊技機１において確変が一旦発生したときに、その後に確変転落抽選動作に当選するまでの期間におけるスタート回数を、前述した識別結果を利用して累算し、その累算結果を、表示部１１ｄに対して確変継続スタート数として表示する制御を行うようになる（図１９の第６表示エリアｆ参照）。
【０１４４】
従って、大当たり抽選動作の結果に応じて大当たりが発生すると共に、その大当たり後に発生した確変状態の終了時期が遊技に伴い行われる確変転落抽選動作により決まる構成のパチンコ遊技機１が出現した場合でも、確変状態が実質的に継続している期間におけるスタート数を示すデータ、つまりパチンコ遊技機１の傾向（遊技特性）を把握する上で重要なデータである確変継続スタート数の表示を適切に行い得るようになり、遊技に対する興趣の向上などを図る上で有益になる。この場合、確変継続スタート数の平均値も表示されるから（図１９の第２表示エリアｂ参照）、パチンコ遊技機１の遊技特性の把握のためにさらに有益となる。
【０１４５】
管理装置１３からは、大当たり発生時点から確変転落抽選動作に当選するまでの期間における大当たりの合計発生回数が確変継続大当たり回数として出力されることになる。この結果、確変発生後に確変転落抽選動作に当選するまでの期間のスタート数（確変継続スタート数）とその期間に対応した大当たり発生回数との関係を的確に把握可能になるなど、パチンコ遊技機１の管理を適切に行う上で有益になる。
【０１４６】
また、呼出ランプユニット１１内の制御部１５においては、パチンコ遊技機１での大当たりの発生時点から確変転落抽選動作に当選するまでの期間における大当たりの合計発生回数を確変継続大当たり回数として表示する制御を行う（図１８、図１９の第７表示エリアｇ参照）。この結果、遊技者側において、パチンコ遊技機１の遊技特性、特には、確変発生後に確変転落抽選動作に当選するまでの期間のスタート数（確変継続スタート数）とその期間に対応した大当たり発生回数との関係を示す特性を的確に把握する上で有益になる。
【０１４７】
管理装置１３からは、パチンコ遊技機１で確変が発生した各期間におけるスタート回数、つまり、一旦発生した確変状態が大当たりの発生或いは確変転落抽選動作に応じて終了するまでの各期間についてのスタート数を示す確変中スタート数（確変Ｓ）が、確変継続スタート数と区別した状態で出力されることになる。尚、この確変中スタート数は、図１３に示す大当たり履歴データの「確変Ｓ」欄に記録された状態で出力される。この結果、各回の確変発生期間でのスタート数と、当該確変状態が実質的に継続している期間でのスタート数との割合を的確に把握可能になるなど、パチンコ遊技機１の管理を行う上で有益になる。
【０１４８】
また、呼出ランプユニット１１内の制御部１５においては、上記のような確変中スタート数を確変継続スタート数と区別した状態で表示する制御を行う構成となっている（図２０の第６表示エリアｆ参照）。この結果、遊技者側において、パチンコ遊技機１の遊技特性、特には、各回の確変発生期間でのスタート数と、当該確変状態が実質的に継続している期間でのスタート数との割合を示す特性を的確に把握する上で有益になる。この場合、確変中スタート数の平均値も表示されるから（図２０の第２表示エリアｂ参照）、パチンコ遊技機１の遊技特性の把握のためにさらに有益となる。
【０１４９】
さらに、呼出ランプユニット１１内の制御部１５においては、前記確変中スタート数に対応した各回の確変発生期間での大当たりの発生の有無を示す大当たり情報「０」を、当該確変中スタート数と関連付けて表示する構成となっている（図２０、図２２の第７表示エリアｇ参照）。この構成によれば、遊技者側において、各回の確変発生期間に大当たりが発生したか否かという情報を的確に把握する上で有益になる。
【０１５０】
尚、管理装置１３において、このような大当たり情報を、確変中スタート数と共に出力する構成としても良く、この構成によれば、各回の確変発生期間に大当たりが発生したか否かという情報を的確に把握可能になるなど、パチンコ遊技機１の管理を行う上で有益になる。
【０１５１】
本実施例によれば、呼出ランプユニット１１の表示ランプ１１ａ〜１１ｃによって、パチンコ遊技機１が大当たりにあること、確変／時短遊技状態または時短単独遊技状態にあることを報知する構成となっているが、当該パチンコ遊技機１が確変単独遊技状態にあることについては報知しない構成となっている。このため、スタート入賞口６への入賞率が高められた状態の時短が発生していることを遊技者に積極的にアピールできるという遊技性の向上効果を期待できると共に、確変継続中か否かについては遊技者側に期待感を抱かせることにより遊技継続に対する意欲並びに遊技に係る興趣の向上を期待できる、という新たな遊技性が生まれることになる。
【０１５２】
尚、管理装置１３は、前述のような正確な識別結果に基づいて、パチンコ遊技機１の稼動データのうちパチンコ玉の入賞率に係るデータ、つまり、時短が発生した期間と非発生期間とで大きく変動することになるデータを、時短が発生した期間と、時短及び大当たりが発生していない期間とに区別して集計すると共に、パチンコ遊技機１の稼動データのうち大当たり発生確率に係るデータ、つまり、確変が発生した期間と非発生期間とで大きく変動することになるデータを、確変が発生した期間と、通常確率期間とに区別して集計するようになる。この結果、遊技者側に有利な確変及び時短が単独発生する期間及び重複発生するが存在する構成のパチンコ遊技機１が管理対象でありながら、当該確変及び時短に係る稼動データをきめ細かく管理することが可能になる。この場合、パチンコ遊技機１からは遊技状態を示す信号として１種類の信号（確変信号）が出力されるだけであって、管理装置１３側のハードウェア構成を変更する必要がなくなるから、ハードウェアコストの増大を伴う恐れがなくなるものである。
【０１５３】
（第２の実施の形態）
図２３〜図２７には、前記第１実施例と同様の効果を奏する本発明の第２実施例が示されており、以下これについて当該第１実施例と異なる部分のみ説明する。即ち、本実施例は、遊技情報表示装置としての情報公開端末１４において、表示に供する稼動データの算出並びにその算出データに基づいた大当たり履歴データなどの表示制御を行うようにしたものであり、従って、情報公開端末１４内にその表示制御を行うように設けられた制御部（図示せず）が、本発明でいう表示制御手段として機能することになる。
【０１５４】
即ち、情報公開端末１４は、管理装置１３とのデータ通信により表示に必要データを取得する制御、または、自身で管理装置１３と同様の演算を行って必要データを算出することにより、図２３に示すような大当たり履歴データ画面を表示する。
【０１５５】
即ち、この大当たり履歴データ画面は、「大当たり履歴」のタイトル、パチンコ遊技機１の機種名及び台番号、データ出力年月日と対応付けた状態で、前記第１実施例で説明した大当たり履歴データ（図１３参照）中の「状態」、「Ｔ１」、「発生時刻」、「ＲＳ」、「Ｔ１Ｙ」、「確変Ｓ」、「確継Ｓ」、「時短Ｓ」、「時継Ｓ」の各欄のデータを表示した形態となっている。
【０１５６】
また、情報公開端末１４は、管理装置１３とのデータ通信により表示に必要データを取得する制御、または、自身で管理装置１３と同様の演算を行って必要データを算出することにより、図２４〜図２７に示すような確変継続スタート数ランキング画面、確変継続中大当たり数ランキング画面、確変中スタート数ランキング画面、機種毎確変継続スタート数ランキング画面を選択的に表示する。
【０１５７】
この場合、図２４の確変継続スタート数ランキング画面には、「確変継続スタート数ランキング」のタイトル、機種名と対応付けた状態で、順位欄（「Ｎｏ．」欄）並びに各パチンコ遊技機１の台番号欄が表示され、各台番号欄に対応するパチンコ遊技機１についての確変継続スタート数及びその確変継続期間（大当たりによる中断時期も含む実質的な確変継続期間）に対応した大当たり回数がランキング表示されている。尚、このランキングは、確変継続スタート数が多いデータが上位、当該確変継続スタート数が同数のときは大当たり回数が多いデータが上位となるようにソートされる。
【０１５８】
図２５の確変継続中大当たり数ランキング画面には、「確変継続中大当たり数ランキング」のタイトル、機種名と対応付けた状態で、順位欄（「Ｎｏ．」欄）並びに各パチンコ遊技機１の台番号欄が表示され、各台番号欄に対応するパチンコ遊技機１についての確変継続スタート数及びその確変継続期間に対応した大当たり回数がランキング表示されている。尚、このランキングは、大当たり回数が多いデータが上位、当該大当たり回数が同数のときは確変継続スタート数が多いデータが上位となるようにソートされる。
【０１５９】
図２６の確変中スタート数ランキング画面には、「確変中スタート数ランキング」のタイトル、機種名と対応付けた状態で、順位欄（「Ｎｏ．」欄）並びに各パチンコ遊技機１の台番号欄が表示され、各台番号欄に対応するパチンコ遊技機１についての確変中スタート数がランキング表示される共に、その確変中スタート数に対応した期間において大当たりが発生した場合に「○」が表示され、大当たりが発生することなく確変転落抽選動作に当選して確変が終了した場合に「×」が表示される。
【０１６０】
図２７の機種毎確変継続スタート数ランキング画面には、「機種毎確変継続スタート数ランキング」のタイトルと対応付けた状態で、順位欄（「Ｎｏ．」欄）並びに機種名（「＊＊＊」、「※※※」などで表記）を示す欄が表示され、各機種名欄に対応する機種のパチンコ遊技機１群についての確変継続スタート数及びその確変継続期間に対応した大当たり回数がランキング表示されている。尚、このランキングは、確変継続スタート数が多いデータが上位、当該確変継続スタート数が同数のときは大当たり回数が多いデータが上位となるようにソートされる。
【０１６１】
（その他の実施の形態）
本発明は上記し且つ図面に示した実施例に限定されるものではなく、例えば以下に述べるような変形或いは拡大が可能である。
上記各実施例においては、確変継続期間に対応した大当たり回数を示すデータ中に、所謂初当たりに係る大当たり回数を含む構成としたが、このような初当たりに係る大当たり回数は、これを上記確変継続期間に対応した大当たり回数を示すデータ中に含まない構成とすることも可能である。
【０１６２】
遊技情報表示装置の例として、呼出ランプユニット１１及び情報公開端末１４を挙げたが、図２８に示すように、玉貸機１０に付随して設けられたデータ表示端末２１を遊技情報表示装置として構成することも可能である。
【０１６３】
図１８〜図２２に示した第１〜第５の大当たり履歴データ（パチンコ遊技機１毎の個別データ）を、情報公開端末１４で表示しても良く、また、図２３〜図２７の表示画面に該当したデータを呼出ランプユニット１１やデータ表示端末２１で表示する構成としても良い．尚、台毎端末である呼出ランプユニット１１やデータ表示端末２１において、他のパチンコ遊技機１についてのデータは、データ表示時に管理装置１３や他の台毎端末から取得することが可能である。また、台毎端末に対応するパチンコ遊技機１が確変終了したときに、データを他の台毎端末へ出力するように構成しておけば、各台毎端末で他のパチンコ遊技機１についてのデータを容易に取得できるようになる。
【０１６４】
呼出ランプユニット１１内の制御部１５は、表示部１１ｄでの表示に使用するデータを管理装置１３との間のデータ通信によって取得する構成であっても良い。この場合には、制御部１５は、例えば、管理装置１３に対して表示部１１ｄでの表示に使用するデータを選択的に要求し、この要求に応じて管理装置１３側からアンサバックされたデータを使用して図１８〜図２２のような各大当たり履歴データ画面を表示する制御を行う構成とすれば良い。また、情報公開端末１４も、その表示に使用するデータを管理装置１３との間のデータ通信によって取得する構成とすることができる。
【０１６５】
時短を終了させるときに基準となる規定回数（上記実施例では５０回）を、パチンコ遊技機１毎に変更設定可能な設定手段を設ける構成としても良い。この構成によれば、時短の終了タイミングを、パチンコ遊技機１毎或いはその機種毎に異ならせることが可能になり、これにより、遊技場内に設置されたパチンコ遊技機１に係る遊技性の多様化を容易に実現できるようになる。
【０１６６】
パチンコ遊技機１は、大当たりの終了後において確変／時短遊技状態へ必ず移行する構成としたが、大当たり終了後に所定の確率で確変／時短遊技状態へ移行する構成、例えば、特別図柄表示部９ａにおける図柄変動演出動作の終了時点での表示数字列が「１１１」、「３３３」のような奇数列であった場合に、確変／時短遊技状態へ移行する構成（移行する確率は５０％）であっても良く、また、確変／時短遊技状態へ移行する確率は、９０％、８０％、７５％、７０％など種々設定できるものであり、その確率が遊技の進行などに伴い変動する構成としても良い。但し、このような構成とする場合には、確変継続スタート数（＝確変中スタート数÷累計確変突入数＝確変中スタート数÷累計大当たり数）の算出時において、累計確変突入数≒累計大当たり回数となってしまうので、実際の確変突入数を計数し、確変継続スタート数＝確変中スタート数÷累計確変突入数の演算を行うことになる。
【０１６７】
大当たりの終了という所定条件が成立したことを契機に確変が発生する構成のパチンコ遊技機１を例に挙げたが、確変の発生契機が大当たりとは関係なく行われる構成のパチンコ遊技機を対象とすることもできる。このような構成の具体例としては、確変状態にない期間には、大当たり抽選動作と同時に確変抽選動作を行い、この確変抽選動作に当選したときに確変が発生する構成、或いは大当たり終了後においてスタート数（大当たり間スタート数）が規定値に達したときに確変が発生する構成が考えられる。また、時短についても、上記同様の条件で発生する構成とすることができる。
【０１６８】
本発明の請求項１、６でいう「特別状態」は、確変状態のみが該当するのではなく、大当たり状態も該当するものである。具体的には、大当たり発生→ラウンド毎（例えばラウンド最初の大入賞口８への入賞毎）に確変転落抽選動作を実行→その転落抽選動作に当選するまで大当たりを継続→確変転落抽選動作に当選したラウンドにて大当たりを終了する、という構成のパチンコ遊技機が対象であった場合には、確変転落抽選動作の実行回数＝大当たりラウンド数となる。
【０１６９】
上記実施例では、パチンコ遊技機１が確変／時短遊技状態にあるとき並びに時短単独遊技状態にあるときに、呼出ランプユニット１１の表示ランプ１１ｂ、１１ｃを交互に点滅させるという表示動作を行う構成としたが、そのような表示動作を、パチンコ遊技機１が確変／時短遊技状態にあるときに行い、パチンコ遊技機１が時短単独遊技状態にあるときには、例えば表示ランプ１１ｃのみを点滅させるという表示動作を行う構成としても良い。尚、このような構成とした場合には、パチンコ遊技機１が確変／時短遊技状態にある期間に確変が終了して時短単独遊技状態に移行すると、確変が終了した旨が遊技者に間接的に報知されることになるから、そのような報知を遊技者向けサービスとして提供しようとする場合に有益になる。
【０１７０】
上記実施例では、大当たり終了後のスタート数が規定回数に達したときに時短を終了し、確変転落抽選動作の結果に応じて確変を終了する構成（本発明でいう特別状態が確変とされた構成）としたが、この逆の構成、つまり、大当たり終了後のスタート数が規定回数に達したときに確変が終了し、時短転落抽選動作が当たりとなったときに時短が終了する構成（本発明でいう特別状態が時短とされた構成）であっても良い。
【０１７１】
パチンコ遊技機１が確変状態にある期間の識別を、当該パチンコ遊技機１側から確変にある期間に出力される確変信号に基づいて行う構成としたが、パチンコ遊技機１において確変転落抽選動作に当選したタイミングで当該パチンコ遊技機１から確変終了信号が出力される構成とし、管理装置１３側では、その確変終了信号の入力タイミングに基づいて上記確変期間の識別を行う構成としても良い。
【０１７２】
時短が発生したことを示す時短信号を出力する構成の信号発生基板が設けられたパチンコ遊技機を管理対象とすることも可能であり、この場合には、管理装置１３側において、当該パチンコ遊技機における時短終了タイミング（時短中フラグをオフするタイミング）の判定などを上記時短信号に基づいて直接的に行い得るようになる。
【図面の簡単な説明】
【０１７３】
【図１】本発明の第１実施例を示す遊技場用システムの概略的構成図
【図２】パチンコ遊技機の概略的正面図
【図３】図柄表示装置の概略的正面図
【図４】呼出ランプユニットの正面図
【図５】呼出ランプの電気的構成を示す機能ブロック図
【図６】大当たり、確変、時短の発生タイミングの一例を示すタイミングチャート
【図７】管理装置による制御内容を示すフローチャートその１
【図８】管理装置による制御内容を示すフローチャートその２
【図９】管理装置による制御内容を示すフローチャートその３
【図１０】管理装置による制御内容を示すフローチャートその４
【図１１】管理装置による制御内容を示すフローチャートその５
【図１２】管理装置による制御内容を示すフローチャートその６
【図１３】管理装置から出力される大当たり履歴データの一例を示す図
【図１４】呼出ランプユニット内の制御部による制御内容を示すフローチャートその１
【図１５】同制御部による制御内容を示すフローチャートその２
【図１６】同制御部による制御内容を示すフローチャートその３
【図１７】同制御部による制御内容を示すフローチャートその４
【図１８】呼出ランプユニットでのデータ表示例を示す図その１
【図１９】同データ表示例を示す図その２
【図２０】同データ表示例を示す図その３
【図２１】同データ表示例を示す図その４
【図２２】同データ表示例を示す図その５
【図２３】本発明の第２実施例におけるデータ表示例を示す図その１
【図２４】データ表示例を示す図その２
【図２５】データ表示例を示す図その３
【図２６】データ表示例を示す図その４
【図２７】データ表示例を示す図その５
【図２８】本発明の他の実施例を示すパチンコ遊技機及び周辺装置の概略的正面図
【符号の説明】
【０１７４】
１はパチンコ遊技機、６はスタート入賞口、６ａは電動チューリップ、９は図柄表示装置、９ａは特別図柄表示部、１０は台間玉貸機、１１は呼出ランプユニット（遊技情報表示装置）、１３は管理装置（識別手段、データ集計手段）、１４は情報公開端末（遊技情報表示装置）、１５は制御部（表示制御手段）を示す。
【図１】
2006158775.tif 000003
【図２】
2006158775.tif 000004
【図３】
2006158775.tif 000005
【図４】
2006158775.tif 000006
【図５】
2006158775.tif 000007
【図６】
2006158775.tif 000008
【図７】
2006158775.tif 000009
【図８】
2006158775.tif 000010
【図９】
2006158775.tif 000011
【図１０】
2006158775.tif 000012
【図１１】
2006158775.tif 000013
【図１２】
2006158775.tif 000014
【図１３】
2006158775.tif 000015
【図１４】
2006158775.tif 000016
【図１５】
2006158775.tif 000017
【図１６】
2006158775.tif 000018
【図１７】
2006158775.tif 000019
【図１８】
2006158775.tif 000020
【図１９】
2006158775.tif 000021
【図２０】
2006158775.tif 000022
【図２１】
2006158775.tif 000023
【図２２】
2006158775.tif 000024
【図２３】
2006158775.tif 000025
【図２４】
2006158775.tif 000026
【図２５】
2006158775.tif 000027
【図２６】
2006158775.tif 000028
【図２７】
2006158775.tif 000029
【図２８】
2006158775.tif 000030